(57)【要約】      （修正有）【課題】ネットワーク共有シナリオに適用可能なキャリアアグリゲーションＣＡ処理方式を提供する。【解決手段】ネットワーク側デバイスが、第１のセルにおいてＣＡユーザ装置により用いられる第１のＰＬＭＮ  ＩＤによるパブリックランドモバイルネットワーク識別子ＰＬＭＮ  ＩＤスクリーニング及びＣＡユーザ装置によりサポートされた周波数による周波数スクリーニングにより、第２の周波数を決定する、第１のセルはＣＡユーザ装置が現在アクセスしているセルであり第１のセルでは第１の周波数が使われ、第２の周波数によりサポートされたＰＬＭＮ  ＩＤは第１のＰＬＭＮ  ＩＤを含み、第１の周波数と第２の周波数のうち少なくとも１つの周波数は第１のＰＬＭＮ  ＩＤに加えて他のＰＬＭＮ  ＩＤもサポートするステップと、ネットワーク側デバイスが第２の周波数を含むＣＡ測定制御情報をＣＡユーザ装置に送信するステップとを有する。【選択図】図４
2016213892.tif 000002
【特許請求の範囲】
【請求項１】
キャリアアグリゲーション処理の方法であって、
ネットワーク側デバイスが、第１のセルにおいてキャリアアグリゲーション（ＣＡ）ユーザ装置により用いられる第１のＰＬＭＮ  ＩＤによるパブリックランドモバイルネットワーク識別子（ＰＬＭＮ  ＩＤ）スクリーニングにより、及び前記ＣＡユーザ装置によりサポートされた周波数による周波数スクリーニングにより、第２の周波数を決定するステップであって、前記第１のセルは前記ＣＡユーザ装置が現在アクセスしているセルであり、前記第１のセルでは第１の周波数が使われ、前記第２の周波数によりサポートされたＰＬＭＮ  ＩＤは前記第１のＰＬＭＮ  ＩＤを含み、前記第１の周波数と前記第２の周波数のうち少なくとも１つの周波数は、前記第１のＰＬＭＮ  ＩＤに加えて他のＰＬＭＮ  ＩＤもサポートする、ステップと、
前記ネットワーク側デバイスが、前記第２の周波数を含むＣＡ測定制御情報を前記ＣＡユーザ装置に送信するステップとを有する、
方法。
【請求項２】
前記ネットワーク側デバイスが第２の周波数を決定するステップは、前記ネットワーク側デバイスが、第１の周波数セットから前記第１のＰＬＭＮ  ＩＤをサポートしている周波数を選択するステップと、前記ネットワーク側デバイスが、前記選択された周波数から、前記ＣＡユーザ装置によりサポートされている周波数を前記第２の周波数として選択するステップとを含む、
請求項１に記載の方法。
【請求項３】
前記ネットワーク側デバイスが第２の周波数を決定するステップは、前記ネットワーク側デバイスが、前記第１のＰＬＭＮ  ＩＤをサポートする第２の周波数セットから、前記ＣＡユーザ装置によりサポートされた周波数を、前記第２の周波数として選択するステップを有する、
請求項１に記載の方法。
【請求項４】
前記ネットワーク側デバイスが第２の周波数を決定するステップは、
前記ネットワーク側デバイスが第１の周波数セットから前記ＣＡユーザ装置によりサポートされた周波数を選択するステップと、
前記ネットワーク側デバイスが、前記ＣＡユーザ装置によりサポートされた選択された周波数から、前記第１のＰＬＭＮ  ＩＤをサポートする周波数を、前記第２の周波数として選択するステップであって、前記第１の周波数セットは、少なくとも前記第１の周波数と前記第２の周波数とを含む、ステップとを有する、
請求項１に記載の方法。
【請求項５】
前記第２の周波数を含むＣＡ測定制御情報を前記ＣＡユーザ装置に送信するステップの後、さらに、
前記ＣＡユーザ装置から受信した測定情報に応じて、前記第２の周波数に対応する第２のセルを、前記ＣＡユーザ装置のＣＡセルとして構成するステップであって、前記測定情報は、前記ＣＡ測定制御情報に応じて前記ＣＡユーザ装置により実行される測定により取得される、ステップを含む、
請求項１ないし４いずれか一項に記載の方法。
【請求項６】
前記ネットワーク側デバイスは、基地局または中継ノード（ＲＮ）デバイスを含む、
請求項１ないし５いずれか一項に記載の方法。
【請求項７】
第１のセルにおいてキャリアアグリゲーション（ＣＡ）ユーザ装置により用いられる第１のＰＬＭＮ  ＩＤによるパブリックランドモバイルネットワーク識別子（ＰＬＭＮ  ＩＤ）スクリーニングにより、及び前記ＣＡユーザ装置によりサポートされた周波数による周波数スクリーニングにより、第２の周波数を決定するように構成された決定モジュールであって、前記第１のセルは前記ＣＡユーザ装置が現在アクセスしているセルであり、前記第１のセルでは第１の周波数が使われ、前記第２の周波数によりサポートされたＰＬＭＮ  ＩＤは前記第１のＰＬＭＮ  ＩＤを含み、前記第１の周波数と前記第２の周波数のうち少なくとも１つの周波数は、前記第１のＰＬＭＮ  ＩＤに加えて他のＰＬＭＮ  ＩＤもサポートし、決定モジュールと、
前記第２の周波数を含むＣＡ測定制御情報を前記ＣＡユーザ装置に送信するように構成された送信モジュールとを有する、
ネットワーク側デバイス。
【請求項８】
前記決定モジュールは、第１の周波数セットから、前記第１のＰＬＭＮ  ＩＤをサポートしている周波数を選択し、前記選択された周波数から、前記ＣＡユーザ装置によりサポートされた周波数を、前記第２の周波数として選択するように構成される、
請求項７に記載のネットワーク側デバイス。
【請求項９】
前記決定モジュールは、前記第１のＰＬＭＮ  ＩＤをサポートする第２の周波数セットから、前記ＣＡユーザ装置によりサポートされた周波数を、前記第２の周波数として選択するように構成される、
請求項７に記載のネットワーク側デバイス。
【請求項１０】
前記決定モジュールは、第１の周波数セットから、前記ＣＡユーザ装置によりサポートされた周波数を選択し、前記ＣＡユーザ装置によりサポートされた選択された周波数から、前記第１のＰＬＭＮ  ＩＤをサポートする周波数を前記第２の周波数として選択するように構成され、前記第１の周波数セットは、少なくとも前記第１の周波数と前記第２の周波数とを含む、
請求項７に記載のネットワーク側デバイス。
【請求項１１】
前記送信モジュールは、前記第２の周波数を含む前記ＣＡ測定制御情報を前記ＣＡユーザ装置に送信後、前記ＣＡユーザ装置から受信した測定情報に応じて、前記第２の周波数に対応する第２のセルを、前記ＣＡユーザ装置のＣＡセルとして構成するように構成され、前記測定情報は、前記ＣＡ測定制御情報に応じて前記ＣＡユーザ装置により実行される測定により取得される、
請求項７ないし１０いずれか一項に記載のネットワーク側デバイス。
【請求項１２】
前記ネットワーク側デバイスは、基地局または中継ノード（ＲＮ）デバイスを含む、
請求項７ないし１１いずれか一項に記載のネットワーク側デバイス。
【請求項１３】
コンピュータに、請求項１ないし６いずれか一項に記載の方法を実行させるコンピュータプログラム。
【発明の詳細な説明】
【技術分野】
【０００１】
本発明は、無線通信技術の分野に関し、具体的には、ＣＡ処理方法と装置に関する。
【背景技術】
【０００２】
ネットワーク共有は、複数のオペレータ（またはサードパーティ）間での電気通信ネットワークインフラストラクチャまたはネットワーク装置における協力またはその共有を指す。電気通信ネットワークインフラストラクチャの共有は、サイトロケーション、機器室設備、鉄塔、電源装置などのサイトインフラストラクチャの共有を含む。ネットワーク装置の共有は、基地局、送信ネットワーク、及びコアネットワークなどの電気通信ネットワーク装置に関する設備の共有を含む。
【０００３】
オペレータは、公衆陸上移動ネットワーク識別子（Ｐｕｂｌｉｃ  Ｌａｎｄ  Ｍｏｂｉｌｅ  Ｎｅｔｗｏｒｋ  Ｉｄｅｎｔｉｆｉｅｒ、ＰＬＭＮ＿ＩＤ）を用いて区別される。一ネットワーク共有シナリオにおいて、複数のオペレータが同じ周波数または同じセルを共有することが可能である。この場合、共有される各セルは、サポートされるすべてのＰＬＭＮ＿ＩＤを設定し、次世代基地局（Ｅ−ＵＴＲＡＮ  ＮｏｄｅＢ、ｅＮｏｄｅＢ）は、空中インタフェースシステムメッセージを用いてそのセルによりサポートされているすべてのＰＬＭＮ＿ＩＤをブロードキャストする。ＵＥは、サービングＰＬＭＮ＿ＩＤとして複数のＰＬＭＮ＿ＩＤから１つのＰＬＭＮ＿ＩＤを選択し、選択されたＰＬＭＮ＿ＩＤをｅＮｏｄｅＢにレポートする。次に、ｅＮｏｄｅＢは、ＰＬＭＮ＿ＩＤに応じてそのＰＬＭＮ＿ＩＤに対応するオペレータのコアネットワークを選択する。
【０００４】
ロングタームエボルーション（Ｌｏｎｇ  Ｔｅｒｍ  Ｅｖａｏｌｕｔｉｏｎ、ＬＴＥ）システムの場合、最大帯域幅は２０ＭＨｚである。ロングタームエボルーションーアドバンスト（ＬＴＥ−Ａｄｖａｎｃｅｄ，  ＬＴＥ−Ａ）システムの場合、１Ｇバイトダウンリンクピークレートと、５００Ｍｂｐｓアップリンクピークレートが必要である。必須要件を満たすため、ＬＴＥ−Ａシステムにはキャリアアグリゲーション（Ｃａｒｒｉｅｒ  Ａｇｇｒｅｇａｔｉｏｎ，  ＣＡ）技術が導入され、複数の連続したまたは不連続なキャリアがアグリゲートされ、要求されたレートを提供するため、必要に応じてユーザ装置にサービスしている。ＣＡ技術を用いて、資源活用率を最大化し、離散的なスペクトル資源を有効に利用できる。
【０００５】
現在、ＣＡは非ネットワーク共有シナリオに適用されている。しかし、ネットワーク共有シナリオでは、複数のオペレータが同じ周波数と同じセルを共有できるので、非ネットワーク共有シナリオに基づくＣＡ処理方式は適用できない。
【発明の概要】
【０００６】
本発明は、ネットワーク共有シナリオに適用可能なＣＡ処理方式を提供するために、ＣＡ処理方法とデバイスを提供する。
【０００７】
第１の態様によると、キャリアアグリゲーションＣＡ処理方法が提供される。該方法は、
第１のセルのＣＡユーザ装置により用いられる第１のＰＬＭＮ＿ＩＤと、そのＣＡユーザ装置によりサポートされる周波数とにより、第２のセルを決定するステップであって、第１のセルはＣＡ  ＵＥが現在アクセスしているセルであり、ＣＡは第１のセル中の第２のセルによりサポートされた第２のＰＬＭＮ＿ＩＤと、ＣＡユーザ装置により用いられる第１のＰＬＭＮ＿ＩＤとで実行され、第２のセルにより用いられる周波数はＣＡユーザ装置によりサポートされることができるステップと、
第２のセルにより用いられる周波数を含むＣＡ測定制御情報をＣＡユーザ装置に送信する、または第２のセルをＣＡユーザ装置のためにＣＡセルとして設定するステップとを有する。
【０００８】
第１の態様を参照して、可能性のある第１の実施形態において、第１のセルのＣＡユーザ装置により用いられる第１のＰＬＭＮ＿ＩＤとＣＡが実行される第２のＰＬＭＮ＿ＩＤは、
前記第２のＰＬＭＮ＿ＩＤは前記第１のＰＬＭＮ＿ＩＤと同一である、または
前記第２のＰＬＭＮ＿ＩＤが前記第１のＰＬＭＮ＿ＩＤと等価であることを含む。
【０００９】
第１の態様またはその第１の態様の可能性のある第１の実施形態を参照して、可能性のある第２の実施形態において、
第１のセルのＣＡユーザ装置により用いられる第１のＰＬＭＮ＿ＩＤと、前記ＣＡユーザ装置によりサポートされる周波数とにより、第２のセルを決定するステップは、
前記第１のＰＬＭＮ＿ＩＤとＣＡを実行できる前記第２のＰＬＭＮ＿ＩＤをサポートしているセルから、前記ＣＡユーザ装置によりサポートされ得る周波数をアダプトするセルを、第２のセルとして選択するステップ、または
前記ＣＡユーザ装置によりサポートされ得る周波数をアダプトするセルから、前記第１のＰＬＭＮ＿ＩＤとＣＡが実行できる前記第２のＰＬＭＮ＿ＩＤをサポートしているセルを、第２のセルとして選択するステップを有する。
【００１０】
第１の態様の可能性のある第２の実施形態を参照して、可能性のある第３の実施形態において、
前記第１のＰＬＭＮ＿ＩＤとＣＡを実行できる前記第２のＰＬＭＮ＿ＩＤをサポートしているセルから、前記ＣＡユーザ装置によりサポートされ得る周波数をアダプトするセルを、第２のセルとして選択するステップは、
前記第１のセルセットから、前記第２のＰＬＭＮ＿ＩＤをサポートしているセルを選択し、前記第２のＰＬＭＮ＿ＩＤをサポートしている選択されたセルから、前記ＣＡユーザ装置によりサポートし得る周波数をアダプトしたセルを選択するステップ、または
前記第２のＰＬＭＮ＿ＩＤをサポートする第２のセルセットから、前記ＣＡユーザ装置によりサポートされ得る周波数をアダプトするセルを、第２のセルとして選択するステップを有する。
【００１１】
第１の態様の可能性のある第２の実施形態を参照して、可能性のある第４の実施態様において、
前記ＣＡユーザ装置によりサポートされ得る周波数をアダプトするセルから、前記第１のＰＬＭＮ＿ＩＤとＣＡが実行できる前記第２のＰＬＭＮ＿ＩＤをサポートしているセルを、第２のセルとして選択するステップは、
第１のセルセットから、前記ＣＡユーザ装置によりサポートされ得る周波数をアダプトするセルを選択し、前記ＣＡユーザ装置によりサポートされ得る周波数をアダプトした選択されたセルから、前記第１のＰＬＭＮ＿ＩＤとＣＡを実行できる前記第２のＰＬＭＮ＿ＩＤをサポートするセルを、前記第２のセルとして選択するステップを有する。
【００１２】
第１の態様またはその第１の態様の可能性のある第１ないし第４の実施形態のうちのいずれかを参照して、可能性のある第５の実施態様において、方法は、前記第２のセルにより用いられる周波数を含むＣＡ測定制御情報を前記ＣＡユーザ装置に送信するステップの後、さらに、
ＣＡユーザ装置から受信した測定情報により、第２のセルを、ＣＡユーザ装置のＣＡセルとして構成するステップであって、測定情報は、ＣＡ測定制御情報によりＣＡユーザ装置により実行される測定により取得されるステップを有する。
【００１３】
第２の態様によると、キャリアアグリゲーションＣＡ処理方法が提供される。該方法は、
アクセスされた第１のセル中のＣＡユーザ装置により用いられる第１のＰＬＭＮ＿ＩＤと、ＣＡユーザ装置によりサポートされる周波数とにより、第２の周波数を決定するステップであって、第１のセルは第１の周波数を用い、ＣＡは第２の周波数によりサポートされた第２のＰＬＭＮ＿ＩＤ及び第１のセル中のＣＡユーザ装置により用いられる第１のＰＬＭＮ＿ＩＤで実行でき、第２の周波数はＣＡユーザ装置によりサポートできるステップと、
第２の周波数を含むＣＡ測定制御情報をＣＡユーザ装置に送信するステップとを有する。
【００１４】
第２の態様を参照して、可能性のある第１の実施態様において、
第１のセルのＣＡユーザ装置により用いられる第１のＰＬＭＮ＿ＩＤとＣＡが実行される第２のＰＬＭＮ＿ＩＤは、
前記第２のＰＬＭＮ＿ＩＤは前記第１のＰＬＭＮ＿ＩＤと同一である、または
前記第２のＰＬＭＮ＿ＩＤが前記第１のＰＬＭＮ＿ＩＤと等価であることを含む。
【００１５】
第２の態様またはその第２の態様の可能性のある第２の実施形態を参照して、可能性のある第２の実施形態において、
第１のセルのＣＡユーザ装置により用いられる第１のＰＬＭＮ＿ＩＤと、前記ＣＡユーザ装置によりサポートされる周波数とにより、第２の周波数を決定するステップは、
前記第１のＰＬＭＮ＿ＩＤとＣＡを実行し得る前記第２のＰＬＭＮ＿ＩＤをサポートしている周波数から、前記ＣＡユーザ装置によりサポートされ得る周波数を、前記第２の周波数として選択するステップ、または
前記ＣＡユーザ装置によりサポートされ得る周波数から、前記第１のＰＬＭＮ＿ＩＤとのＣＡが実行できる前記第２のＰＬＭＮ＿ＩＤをサポートしている周波数を、前記第２の周波数として選択するステップを有する。
【００１６】
第２の態様の可能性のある第２の実施形態を参照して、可能性のある第３の実施形態において、前記第１のＰＬＭＮ＿ＩＤとＣＡを実行し得る前記第２のＰＬＭＮ＿ＩＤをサポートしている周波数から、前記ＣＡユーザ装置によりサポートされ得る周波数を、前記第２の周波数として選択するステップは、
第１の周波数セットから、前記第２のＰＬＭＮ＿ＩＤをサポートしている周波数を選択し、前記第２のＰＬＭＮ＿ＩＤをサポートしている選択された周波数から、前記ＣＡユーザ装置によりサポートし得る周波数を、前記第２の周波数として選択するステップ、または
前記第２のＰＬＭＮ＿ＩＤをサポートする第２の周波数セットから、前記ＣＡユーザ装置によりサポートされ得る周波数を、前記第２の周波数として選択するステップを有する。
【００１７】
第２の態様の可能性のある第２の実施形態を参照して、可能性のある第４の実施態様において、前記ＣＡユーザ装置によりサポートされ得る周波数から、前記第１のＰＬＭＮ＿ＩＤとのＣＡが実行できる前記第２のＰＬＭＮ＿ＩＤをサポートしている周波数を、前記第２の周波数として選択するステップは、
第１の周波数セットから、前記ＣＡユーザ装置によりサポートされ得る周波数を選択し、前記ＣＡユーザ装置によりサポートされ得る選択された周波数から、前記第１のＰＬＭＮ＿ＩＤとＣＡを実行し得る前記第２のＰＬＭＮ＿ＩＤをサポートしている周波数を、前記第２の周波数として選択するステップを有する。
【００１８】
第２の態様またはその第２の態様の可能性のある第１ないし第４の実施形態のうちのいずれかを参照して、可能性のある第５の実施態様において、方法は、前記第２の周波数を含むＣＡ測定制御情報を前記ＣＡユーザ装置に送信するステップの後、さらに、
前記ＣＡユーザ装置から受信した測定情報により、前記第２の周波数に対応する第２のセルを、前記ＣＡユーザ装置のＣＡセルとして構成するステップであって、前記測定情報は、前記ＣＡ測定制御情報により前記ＣＡユーザ装置により実行される測定により取得される、ステップを有する。
【００１９】
第３の態様によると、キャリアアグリゲーション（ＣＡ）処理を実行するネットワーク側デバイスが提供される。該デバイスは、
第１のセル中のＣＡユーザ装置により用いられる第１のＰＬＭＮ＿ＩＤとＣＡユーザ装置によりサポートされた周波数とにより、第２のセルを決定するように構成された決定モジュールであって、第１のセルはＣＡ  ＵＥが現在アクセスしているセルであり、ＣＡは第２のセルによりサポートされた第２のＰＬＭＮ＿ＩＤと、第１のセル中のＣＡユーザ装置により用いられる第１のＰＬＭＮ＿ＩＤとに対し実行でき、第２のセルにより用いられる周波数はＣＡユーザ装置によりサポートされ得る、決定モジュールと、
第２のセルにより用いられる周波数を含むＣＡ測定制御情報をＣＡユーザ装置に送信する、または第２のセルをＣＡユーザ装置のためにＣＡセルとして設定するように構成されている送信モジュールとを有する。
【００２０】
第３の態様を参照して、可能性のある第１の実施態様において、
第１のセルのＣＡユーザ装置により用いられる第１のＰＬＭＮ＿ＩＤとＣＡが実行される第２のＰＬＭＮ＿ＩＤは、
前記第２のＰＬＭＮ＿ＩＤは前記第１のＰＬＭＮ＿ＩＤと同一である、または
前記第２のＰＬＭＮ＿ＩＤが前記第１のＰＬＭＮ＿ＩＤと等価であることを含む。
【００２１】
第３の態様またはその第３の態様の可能性のある第３の実施形態を参照して、可能性のある第２の実施形態において、前記決定モジュールは具体的に：
前記第１のＰＬＭＮ＿ＩＤとＣＡを実行できる前記第２のＰＬＭＮ＿ＩＤをサポートしているセルから、前記ＣＡユーザ装置によりサポートされ得る周波数をアダプトするセルを、前記第２のセルとして選択する、または
前記ＣＡユーザ装置によりサポートされ得る周波数をアダプトするセルから、前記第１のＰＬＭＮ＿ＩＤとＣＡが実行できる前記第２のＰＬＭＮ＿ＩＤをサポートしているセルを、前記第２のセルとして選択するように構成されている。
【００２２】
第３の態様の可能性のある第２の実施形態を参照して、可能性のある第３の実施形態において、前記決定モジュールは具体的に：
第１のセルセットから、前記第２のＰＬＭＮ＿ＩＤをサポートしているセルを選択し、前記第２のＰＬＭＮ＿ＩＤをサポートしている選択されたセルから、前記ＣＡユーザ装置によりサポートし得る周波数をアダプトするセルを、前記第２のセルとして選択する、または
前記第２のＰＬＭＮ＿ＩＤをサポートする第２のセルセットから、前記ＣＡユーザ装置によりサポートされ得る周波数をアダプトするセルを、前記第２のセルとして選択するように構成されている。
【００２３】
第３の態様の可能性のある第２の実施形態を参照して、可能性のある第４の実施態様において、前記決定モジュールは具体的に：
第１のセルセットから、前記ＣＡユーザ装置によりサポートされ得る周波数をアダプトするセルを選択し、前記ＣＡユーザ装置によりサポートし得る周波数をアダプトした選択されたセルから、前記第１のＰＬＭＮ＿ＩＤとＣＡを実行できる第２のＰＬＭＮ＿ＩＤをサポートするセルを、前記第２のセルとして選択するように構成されている。
【００２４】
第３の態様またはその第３の態様の可能性のある第１ないし第４の実施形態のうちのいずれかを参照して、可能性のある第５の実施態様において、前記送信モジュールはさらに：
第２のセルにより用いられる周波数を含むＣＡ測定制御情報をＣＡユーザ装置に送信後、ＣＡユーザ装置から受信した測定情報に応じて、ＣＡユーザ装置のＣＡセルとして、第２のセルを、構成するように構成されている。ここで、測定情報は、ＣＡ測定制御情報によりＣＡユーザ装置により実行される測定により得られる。
【００２５】
第４の態様によると、キャリアアグリゲーション（ＣＡ）処理を実行するネットワーク側デバイスが提供される。該デバイスは、
アクセスされた第１のセル中のＣＡユーザ装置により用いられる第１のＰＬＭＮ＿ＩＤと、ＣＡユーザ装置によりサポートされる周波数とにより、第２の周波数を決定するように構成された決定モジュールであって、第１のセルは第１の周波数を用い、ＣＡは第２の周波数によりサポートされた第２のＰＬＭＮ＿ＩＤ及び第１のセル中のＣＡユーザ装置により用いられる第１のＰＬＭＮ＿ＩＤで実行でき、第２の周波数はＣＡユーザ装置によりサポートできる決定モジュールと、
第２の周波数を含むＣＡ測定制御情報をＣＡユーザ装置に送信するように構成された送信モジュールとを有する。
【００２６】
第４の態様を参照して、可能性のある第１の実施態様において、第１のセルのＣＡユーザ装置により用いられる第１のＰＬＭＮ＿ＩＤとＣＡが実行される第２のＰＬＭＮ＿ＩＤは、
前記第２のＰＬＭＮ＿ＩＤは前記第１のＰＬＭＮ＿ＩＤと同一である、または
前記第２のＰＬＭＮ＿ＩＤが前記第１のＰＬＭＮ＿ＩＤと等価であることを含む。
【００２７】
第４の態様またはその第４の態様の可能性のある第１の実施形態を参照して、可能性のある第２の実施形態において、前記決定モジュールは具体的に：
前記第１のＰＬＭＮ＿ＩＤとＣＡを実行できる前記第２のＰＬＭＮ＿ＩＤをサポートしている周波数から、前記ＣＡユーザ装置によりサポートされ得る周波数を、前記第２の周波数として選択する、または
前記ＣＡユーザ装置によりサポートされ得る周波数から、前記第１のＰＬＭＮ＿ＩＤとのＣＡが実行できる前記第２のＰＬＭＮ＿ＩＤをサポートしている周波数を、前記第２の周波数として選択するように構成されている。
【００２８】
第４の態様の可能性のある第２の実施形態を参照して、可能性のある第３の実施形態において、前記決定モジュールは具体的に：
第１の周波数セットから、第２のＰＬＭＮ＿ＩＤをサポートしている周波数を選択し、第２のＰＬＭＮ＿ＩＤをサポートしている選択された周波数から、ＣＡユーザ装置によりサポートし得る周波数を、第２の周波数として選択する、または
第２のＰＬＭＮ＿ＩＤをサポートする第２の周波数セットから、ＣＡユーザ装置によりサポートされ得る周波数を、第２の周波数として選択するように構成されている。
【００２９】
第４の態様の可能性のある第２の実施形態を参照して、可能性のある第４の実施態様において、前記決定モジュールは具体的に：
第１の周波数セットから、ＣＡユーザ装置によりサポートされ得る周波数を選択し、ＣＡユーザ装置によりサポートされ得る選択された周波数から、第１のＰＬＭＮ＿ＩＤとＣＡを実行できる第２のＰＬＭＮ＿ＩＤをサポートしている周波数を、第２の周波数として選択するように構成されている。
【００３０】
第４の態様またはその第４の態様の可能性のある第１ないし第４の実施形態のうちのいずれかを参照して、可能性のある第５の実施態様において、前記送信モジュールはさらに：
第２の周波数を含むＣＡ測定制御情報をＣＡユーザ装置に送信後、ＣＡユーザ装置から受信した測定情報に応じて、第２の周波数に対応する第２のセルを、ＣＡユーザ装置のＣＡセルとして構成するように構成されている。ここで、測定情報は、ＣＡ測定制御情報によりＣＡユーザ装置により実行される測定により得られる。
【００３１】
第５の態様によると、キャリアアグリゲーション（ＣＡ）処理を実行するネットワーク側デバイスが提供される。該デバイスは、
第１のセル中のＣＡユーザ装置により用いられる第１のＰＬＭＮ＿ＩＤとＣＡユーザ装置によりサポートされた周波数とにより、第２のセルを決定するように構成されたプロセッサであって、第１のセルはＣＡ  ＵＥが現在アクセスしているセルであり、ＣＡは第２のセルによりサポートされた第２のＰＬＭＮ＿ＩＤと、第１のセル中のＣＡユーザ装置により用いられる第１のＰＬＭＮ＿ＩＤとに対し実行でき、第２のセルにより用いられる周波数はＣＡユーザ装置によりサポートされ得る、プロセッサと、
前記第２のセルにより用いられる周波数を含むＣＡ測定制御情報を前記ＣＡユーザ装置に送信する、または前記第２のセルを前記ＣＡユーザ装置のためにＣＡセルとして構成するように構成されている送信器とを有する。
【００３２】
第５の態様を参照して、可能性のある第１の実施態様において、第１のセルのＣＡユーザ装置により用いられる第１のＰＬＭＮ＿ＩＤとＣＡが実行される第２のＰＬＭＮ＿ＩＤは、
第２のＰＬＭＮ＿ＩＤは第１のＰＬＭＮ＿ＩＤと同一であること、または
第２のＰＬＭＮ＿ＩＤが第１のＰＬＭＮ＿ＩＤと等価であることを含む。
【００３３】
第５の態様またはその第５の態様の可能性のある第１の実施形態を参照して、可能性のある第２の実施形態において、前記プロセッサは具体的に、
前記第１のＰＬＭＮ＿ＩＤとＣＡを実行できる前記第２のＰＬＭＮ＿ＩＤをサポートしているセルから、前記ＣＡユーザ装置によりサポートされ得る周波数をアダプトするセルを、前記第２のセルとして選択する、または
前記ＣＡユーザ装置によりサポートされ得る周波数をアダプトするセルから、前記第１のＰＬＭＮ＿ＩＤとＣＡが実行できる前記第２のＰＬＭＮ＿ＩＤをサポートしているセルを、前記第２のセルとして選択するように構成されている。
【００３４】
第５の態様の可能性のある第２の実施形態を参照して、可能性のある第３の実施形態において、前記プロセッサは具体的に、
第１のセルセットから、前記第２のＰＬＭＮ＿ＩＤをサポートしているセルを選択し、前記第２のＰＬＭＮ＿ＩＤをサポートしている選択されたセルから、前記ＣＡユーザ装置によりサポートし得る周波数をアダプトするセルを、前記第２のセルとして選択する、または
前記第２のＰＬＭＮ＿ＩＤをサポートする第２のセルセットから、前記ＣＡユーザ装置によりサポートされ得る周波数をアダプトするセルを、前記第２のセルとして選択するように構成されている。
【００３５】
第５の態様の可能性のある第２の実施形態を参照して、可能性のある第４の実施態様において、前記プロセッサは具体的に、
第１のセルセットから、前記ＣＡユーザ装置によりサポートされ得る周波数をアダプトするセルを選択し、前記ＣＡユーザ装置によりサポートし得る周波数をアダプトした選択されたセルから、前記第１のＰＬＭＮ＿ＩＤとＣＡを実行できる第２のＰＬＭＮ＿ＩＤをサポートするセルを、前記第２のセルとして選択するように構成されている。
【００３６】
第５の態様またはその第５の態様の可能性のある第１ないし第４の実施形態のうちのいずれかを参照して、可能性のある第５の実施態様において、前記送信器はさらに：
第２のセルにより用いられる周波数を含むＣＡ測定制御情報をＣＡユーザ装置に送信後、ＣＡユーザ装置から受信した測定情報に応じて、ＣＡユーザ装置のＣＡセルとして、第２のセルを、構成するように構成されている。ここで、測定情報は、ＣＡ測定制御情報によりＣＡユーザ装置により実行される測定により得られる。
【００３７】
第６の態様によると、キャリアアグリゲーション（ＣＡ）処理を実行するネットワーク側デバイスが提供される。該デバイスは、
アクセスされた第１のセル中のＣＡユーザ装置により用いられる第１のＰＬＭＮ＿ＩＤと、ＣＡユーザ装置によりサポートされる周波数とにより、第２の周波数を決定するように構成されたプロセッサであって、第１のセルは第１の周波数を用い、ＣＡは第２の周波数によりサポートされた第２のＰＬＭＮ＿ＩＤ及び第１のセル中のＣＡユーザ装置により用いられる第１のＰＬＭＮ＿ＩＤで実行でき、第２の周波数はＣＡユーザ装置によりサポートできるプロセッサと、
前記第２の周波数を含むＣＡ測定制御情報を前記ＣＡユーザ装置に送信するように構成された送信器とを有する。
【００３８】
第６の態様を参照して、可能性のある第１の実施態様において、第１のセルのＣＡユーザ装置により用いられる第１のＰＬＭＮ＿ＩＤとＣＡが実行される第２のＰＬＭＮ＿ＩＤは、
前記第２のＰＬＭＮ＿ＩＤは前記第１のＰＬＭＮ＿ＩＤと同一である、または
前記第２のＰＬＭＮ＿ＩＤが前記第１のＰＬＭＮ＿ＩＤと等価であることを含む。
【００３９】
第６の態様またはその第６の態様の可能性のある第１の実施形態を参照して、可能性のある第２の実施形態において、前記プロセッサは具体的に、
前記第１のＰＬＭＮ＿ＩＤとＣＡを実行できる前記第２のＰＬＭＮ＿ＩＤをサポートしている周波数から、前記ＣＡユーザ装置によりサポートされ得る周波数を、前記第２の周波数として選択する、または
前記ＣＡユーザ装置によりサポートされ得る周波数から、前記第１のＰＬＭＮ＿ＩＤとのＣＡが実行できる前記第２のＰＬＭＮ＿ＩＤをサポートしている周波数を、前記第２の周波数として選択するように構成されている。
【００４０】
第６の態様の可能性のある第２の実施形態を参照して、可能性のある第３の実施形態において、前記プロセッサは具体的に、
第１の周波数セットから、第２のＰＬＭＮ＿ＩＤをサポートしている周波数を選択し、第２のＰＬＭＮ＿ＩＤをサポートしている選択された周波数から、ＣＡユーザ装置によりサポートし得る周波数を、第２の周波数として選択する、または
第２のＰＬＭＮ＿ＩＤをサポートする第２の周波数セットから、ＣＡユーザ装置によりサポートされ得る周波数を、第２の周波数として選択するように構成されている。
【００４１】
第６の態様の可能性のある第２の実施形態を参照して、可能性のある第４の実施態様において、前記プロセッサは具体的に、
第１の周波数セットから、ＣＡユーザ装置によりサポートされ得る周波数を選択し、ＣＡユーザ装置によりサポートされ得る選択された周波数から、第１のＰＬＭＮ＿ＩＤとＣＡを実行できる第２のＰＬＭＮ＿ＩＤをサポートしている周波数を、第２の周波数として選択するように構成されている。
【００４２】
第６の態様またはその第６の態様の可能性のある第１ないし第４の実施形態のうちのいずれかを参照して、可能性のある第５の実施態様において、前記送信器はさらに：
第２の周波数を含むＣＡ測定制御情報をＣＡユーザ装置に送信後、ＣＡユーザ装置から受信した測定情報に応じて、第２の周波数に対応する第２のセルを、ＣＡユーザ装置のＣＡセルとして構成するように構成されている。ここで、測定情報は、ＣＡ測定制御情報によりＣＡユーザ装置により実行される測定により得られる。
【００４３】
本発明の実施形態では、第１のセル中のＣＡユーザ装置により用いられる第１のＰＬＭＮ＿ＩＤとＣＡユーザ装置によりサポートされた周波数とにより、第２のセルが決定される。ここで、第１のセルはＣＡ  ＵＥが現在アクセスしているセルであり、ＣＡは第２のセルによりサポートされた第２のＰＬＭＮ＿ＩＤと、第１のセル中のＣＡユーザ装置により用いられる第１のＰＬＭＮ＿ＩＤとに対し実行でき、第２のセルにより用いられる周波数はＣＡユーザ装置によりサポートされ得る。決定された第２のセルにより、ＣＡ測定制御情報がＣＡユーザ装置に送信され、またはＣＡユーザ装置に対してＣＡセルが構成される。本発明の実施形態では、アクセスされたセル中のＣＡユーザ装置により用いられるＰＬＭＮ＿ＩＤによりターゲットセルが決定されるので、ＣＡ処理はネットワーク共有シナリオで実行できる。
【００４４】
本発明の実施形態では、アクセスされた第１のセル中のＣＡユーザ装置により用いられる第１のＰＬＭＮ＿ＩＤと、ＣＡユーザ装置によりサポートされる周波数とにより、第２の周波数を決定し、第１のセルは第１の周波数を用い、ＣＡは第２の周波数によりサポートされた第２のＰＬＭＮ＿ＩＤ及び第１のセル中のＣＡユーザ装置により用いられる第１のＰＬＭＮ＿ＩＤで実行でき、第２の周波数はＣＡユーザ装置によりサポートできる。本発明の実施形態では、アクセスされたセル中のＣＡユーザ装置により用いられるＰＬＭＮ＿ＩＤによりターゲットセルが決定されるので、ＣＡ処理はネットワーク共有シナリオで実行できる。
【図面の簡単な説明】
【００４５】
【図１】本発明の一実施形態によるセルベースのＣＡ処理方法を示すフローチャートである。
【００４６】
【図２】本発明の一実施形態による第１のセルセットを用いるＣＡ処理方法を示すフローチャートである。
【００４７】
【図３】本発明の一実施形態による第２のセルセットを用いるＣＡ処理方法を示すフローチャートである。
【００４８】
【図４】本発明の一実施形態による周波数ベースのＣＡ処理方法を示すフローチャートである。
【００４９】
【図５】本発明の一実施形態による第１の周波数セットを用いるＣＡ処理方法を示すフローチャートである。
【００５０】
【図６】本発明の一実施形態による第２の周波数セットを用いるＣＡ処理方法を示すフローチャートである。
【００５１】
【図７】本発明の一実施形態によるＣＡ処理を実行する第１のネットワーク側装置を示す構造図である。
【００５２】
【図８】本発明の一実施形態によるＣＡ処理を実行する第２のネットワーク側装置を示す構造図である。
【００５３】
【図９】本発明の一実施形態によるＣＡ処理を実行する第３のネットワーク側装置を示す構造図である。
【００５４】
【図１０】本発明の一実施形態によるＣＡ処理を実行する第４のネットワーク側装置を示す構造図である。
【発明を実施するための形態】
【００５５】
本発明の実施形態では、第１のセルのＣＡユーザ装置により用いられるＰＬＭＮ＿ＩＤと、そのＣＡユーザ装置によりサポートされる周波数とにより、第２のセルが決定され、
第１のセルはＣＡ  ＵＥが現在アクセスしているセルであり、ＣＡは第１のセル中の第２のセルによりサポートされた第２のＰＬＭＮ＿ＩＤと、ＣＡユーザ装置により用いられる第１のＰＬＭＮ＿ＩＤとで実行され、第２のセルにより用いられる周波数はＣＡユーザ装置によりサポートされることができ；
決定された第２のセルにより、ＣＡ測定制御情報をＣＡユーザ装置に送信する、またはＣＡセルがＣＡユーザ装置に送信され、またはＣＡセルがＣＡユーザ装置に対して設定される。本発明の実施形態では、アクセスされたセル中のＣＡユーザ装置により用いられるＰＬＭＮ＿ＩＤによりターゲットセルが決定されるので、ＣＡ処理はネットワーク共有シナリオで実行できる。
【００５６】
本発明の実施形態のＣＡユーザ装置は、同時に複数の周波数でデータの送受信をサポートできるユーザ装置である。
【００５７】
図１に示すように、本発明の一実施形態によるセルベースのＣＡ処理方法は、次のステップを含む：
【００５８】
ステップ１０１：第１のセルのＣＡユーザ装置により用いられるＰＬＭＮ＿ＩＤと、そのＣＡユーザ装置によりサポートされる周波数とにより、第２のセルを決定する。第１のセルはＣＡ  ＵＥが現在アクセスしているセルであり、ＣＡは第１のセル中の第２のセルによりサポートされた第２のＰＬＭＮ＿ＩＤと、ＣＡユーザ装置により用いられる第１のＰＬＭＮ＿ＩＤとで実行され、第２のセルにより用いられる周波数はＣＡユーザ装置によりサポートされることができる。
【００５９】
ステップ１０２：第２のセルにより用いられる周波数を含むＣＡ測定制御情報をＣＡユーザ装置に送信する、または第２のセルをＣＡユーザ装置のためにＣＡセルとして設定する。
【００６０】
第１のセルにおいてＣＡユーザ装置により用いられる第１のＰＬＭＮ＿ＩＤとＣＡが実行される第２のＰＬＭＮ＿ＩＤは、限定はされないが、次のうちの少なくとも１つを含む：
第２のＰＬＭＮ＿ＩＤは第１のＰＬＭＮ＿ＩＤと同一である、及び
第２のＰＬＭＮ＿ＩＤは第１のＰＬＭＮ＿ＩＤと等価である。ここで、等価なＰＬＭＮは同じ位置を有し、例えば同じ優先度を有する。
【００６１】
上記の２つのタイプに加えて、第２のセルによりサポートされ、第１のセルにおいてＣＡユーザ装置により用いられるＰＬＭＮ＿ＩＤによりＣＡが実行されるＰＬＭＮ＿ＩＤは、オペレータの必須要件により設定され得る。
【００６２】
ステップ１０１において、第２のセルが、第１のセルにおけるＣＡユーザ装置により用いられるＰＬＭＮ＿ＩＤと、ＣＡユーザ装置によりサポートされた周波数とにより決定されるとき、次が現実的である：
【００６３】
ケース１：ＰＬＭＮ＿ＩＤは、周波数がスクリーンされる前にスクリーンされる。
【００６４】
具体的に、ＣＡユーザ装置によりサポートされ得る周波数に合わせるセルが、第１のＰＬＭＮ＿ＩＤとＣＡが実行できる第２のＰＬＭＮ＿ＩＤをサポートしているセルから、第２のセルとして選択される。
【００６５】
ケース２：周波数は、ＰＬＭＮ＿ＩＤがスクリーンされる前にスクリーンされる。
【００６６】
具体的に、ＣＡユーザ装置によりサポートされ得る周波数に合わせるセルから、第１のＰＬＭＮ＿ＩＤとＣＡが実行できる第２のＰＬＭＮ＿ＩＤをサポートしているセルを、第２のセルとして選択される。
【００６７】
前記のケース１の場合、第２のセルを決定するやり方は多数あり、そのうちの幾つかを以下に説明する。
【００６８】
セル決定方法１：第１のセルセットから、第２のＰＬＭＮ＿ＩＤをサポートしているセルを選択し、第２のＰＬＭＮ＿ＩＤをサポートしている選択されたセルから、ＣＡユーザ装置によりサポートし得る周波数に合わせるセルを選択する。
【００６９】
具体的に、第２のセルによりサポートされたＰＬＭＮ＿ＩＤをサポートしているセルが、第１のセルを含む第２のセルセットから選択される。第１のセルセットはＣＡを実行できる少なくとも２つのセルを含む。ＣＡユーザ装置によりサポートできる周波数をアダプトするセルが、第２のセルとして、上記選択されたセルから選択される。
【００７０】
セル決定方法１において、第１のセルセットがセルの粒度（ｇｒａｎｕｌａｒｉｔｙ）に基づき構成され、構成により、どのセルが第１のセルセットに含まれるか決定される。
【００７１】
実施の際、ＣＡユーザ装置によりサポートされ得る周波数をアダプトするセルが第１のセルセットから選択され、第１のＰＬＭＮ＿ＩＤとＣＡを実行できる第２のＰＬＭＮ＿ＩＤをサポートするセルが、ＣＡユーザ装置によりサポートし得る周波数をアダプトした選択されたセルから、第２のセルとして選択される。
【００７２】
まず、ＰＬＭＮ＿ＩＤを用いたセルのフィルタリングを処理する。すなわち、第２のセルによりサポートされたＰＬＭＮ＿ＩＤをサポートするセルが、第１のセルを含む第１のセルセットから選択される。次に、一周波数を用いたセルのフィルタリングが処理される。すなわち、ＣＡユーザ装置によりサポートし得る周波数をアダプトするセルが、選択された複数のセルから、第２のセルとして選択される。
【００７３】
ＣＡユーザ装置により選択されるターゲットセルは、ＣＡユーザ装置によりサポートされた周波数をアダプト（ａｄｏｐｔ）し、ＣＡユーザ装置がアクセスするセルにより用いられるＰＬＭＮ＿ＩＤによりＣＡを実行し得るＰＬＭＮ＿ＩＤでもあるＰＬＭＮ＿ＩＤをサポートするので、確実に、各オペレータのＣＡユーザ装置が複数のキャリア上でＣＡを実行し、その複数のキャリアによりサポートされたＰＬＭＮ＿ＩＤがそのオペレータに属す場合、他のオペレータ（すなわち、他のＰＬＭＮ＿ＩＤｓ）のキャリアリソースの利用を回避する。
【００７４】
図２に示すように、本発明の一実施形態による第１のセルセットを用いるＣＡ処理方法は、次を含む：
【００７５】
ステップ２０１：ＣＡユーザ装置を決定する。
【００７６】
ステップ２０２：ＣＡユーザ装置がアクセスする第１のセルを含む第１のセルセットを決定する。
【００７７】
ステップ２０３：セルがＣＡユーザ装置に対する非アクセスセルである場合、決定された第１のセルセットから、第１のセルにより利用されるＰＬＭＮ＿ＩＤによりＣＡを実行できるＰＬＭＮ＿ＩＤをサポートするセルを選択する。
【００７８】
ステップ２０４：選択されたセルにより利用される周波数を決定する。
【００７９】
ステップ２０５：選択されたセルにより利用される決定された周波数から、ＣＡユーザ装置によりサポートし得る一周波数を選択し、選択された周波数に対応するセルを第２のセルとして利用する。
【００８０】
以下に、一例を用いて、ターゲットセル決定方法１を説明する。
【００８１】
セル１がＰＬＭＮ−ＡとＰＬＭＮ−Ｂをサポートし、セル２がＰＬＭＮ−Ａをサポートし、セル３がＰＬＭＮ−ＢとＰＬＭＮ−Ｃをサポートするものと仮定する。セル１，セル２、セル３は第１のセルセット１を構成する。ＰＬＭＮ−Ａ、ＰＬＭＮ−Ｂ、及びＰＬＭＮ−Ｃは異なるＰＬＭＮ＿ＩＤを表す。
【００８２】
ＰＬＭＮ−Ａに属し、セル１にアクセスするＣＡユーザ装置１については、ＰＬＭＮ−ＡｗｏサポートするまたはＰＬＭＮ−Ａと同等のＰＬＭＮをサポートする他の任意のセル、すなわちセル２を最初に第１のセルセット（すなわち、第１のセルセット１）から選択する。ＣＡユーザ装置１がセル２に対応する周波数をサポートする場合、セル２に対応する周波数のＣＡ測定制御情報を配信する（またはセル２が構成される）。セル３によりサポートされたＰＬＭＮは、ＰＬＭＮ−ＡによりＣＡを実行できるＰＬＭＮを含まないので、ＣＡユーザ装置１がセル３に対応する周波数をサポートするか否かに関わりなく、セル３に対応する周波数のＣＡ測定制御情報は配信されない（すなわち、ＣＡユーザ装置１に対するＣＡセルとしてセル３が構成されない）。
【００８３】
ＰＬＭＮ−Ｂに属し、セル３にアクセスするＣＡユーザ装置２については、ＰＬＭＮ−ＢをサポートするまたはＰＬＭＮ−Ｂと同等のＰＬＭＮをサポートする他の任意のセル、すなわちセル１を最初に第１のセルセット（すなわち、第１のセルセット１）から選択する。ＣＡユーザ装置２がセル１に対応する周波数をサポートする場合、セル１に対応する周波数のＣＡ測定制御情報を配信する（またはＣＡユーザ装置２のＣＡセルとしてセル１が構成される）。セル２は、ＰＬＭＮ−ＢによりＣＡを実行できるＰＬＭＮ＿ＩＤをサポートしないので、ＣＡユーザ装置がセル２に対応する周波数をサポートするか否かに関わりなく、セル２に対応する周波数のＣＡ測定制御情報は配信されない（すなわち、ＣＡユーザ装置２に対するＣＡセルとしてセル２が構成されない）。
【００８４】
ＰＬＭＮ−Ｃに属し、セル３にアクセスするＣＡユーザ装置３について、第１のセルセット（すなわち、第１のセルセット１）は、セル３以外の、ＣＡがＰＬＭＮ−Ｃにより実行されるＰＬＭＮをサポートする他のいかなるセルも含まない。それゆえ、ＣＡ測定制御情報は配信されない（またはＣＡユーザ装置３に対してＣＡセルは構成されない）。
【００８５】
セル決定方法２：第２のＰＬＭＮ＿ＩＤをサポートする第２のセルセットから、ＣＡユーザ装置によりサポートできる周波数をアダプトするセルを、第２のセルとして選択する。
【００８６】
具体的には、ＣＡユーザ装置によりサポートできる周波数をアダプトするセルが、第１のセルと、第１のセル中のＣＡユーザ装置により利用されるＰＬＭＮ＿ＩＤとを含む第２のセルセットから、第２のセルとして選択される。このとき、各第２のセルセットは少なくとも２つのセルと、含まれるセルによりサポートされたＰＬＭＮ＿ＩＤとを含む。ＣＡは、同じ第２のセルセット中の各セルによりサポートされたＰＬＭＮ＿ＩＤにより実行できる。
【００８７】
セル決定方法２において、第２のセルセットは、セル粒度とＰＬＭＮ＿ＩＤ粒度とに基づき構成され、構成により、１つの第２のセルセットが決定され、それにはどのセルを含むか、そのセルに対応するどのＰＬＭＮ＿ＩＤを含むかが含まれる。
【００８８】
実施の際、ＰＬＭＮ＿ＩＤを用いるセルのフィルタリングが最初に処理される。すなわち、第１のセル中のＣＡユーザ装置により用いられるＰＬＭＮ＿ＩＤを含む第２のセルセットが選択される。次に、一周波数を用いたセルのフィルタリングが処理される。すなわち、ＣＡユーザ装置によりサポートし得る周波数をアダプトするセルが、セルセットから、第２のセルとして選択される。
【００８９】
ＣＡユーザ装置により選択されるターゲットセルは、ＣＡユーザ装置によりサポートされた周波数をアダプト（ａｄｏｐｔ）し、ＣＡユーザ装置がアクセスするセルにより用いられるＰＬＭＮ＿ＩＤによりＣＡを実行し得るＰＬＭＮ＿ＩＤでもあるＰＬＭＮ＿ＩＤをサポートするので、確実に、各オペレータのＣＡユーザ装置が複数のキャリア上でＣＡを実行し、その複数のキャリアによりサポートされたＰＬＭＮ＿ＩＤがそのオペレータに属す場合、他のオペレータ（すなわち、他のＰＬＭＮ＿ＩＤｓ）のキャリアリソースの利用を回避する。
【００９０】
実施の際、第１のＰＬＭＮを含む第２のセルセットは、第２のセルセットの構成情報により決定できる。
【００９１】
好ましくは、第２のセルセットの構成情報は、第２のセルセットに含まれるオブジェクトを特徴付けるのに用いられる任意の情報でよく、例えば、第２のセルセットに含まれるセルのセルＩＤや、第２のセルセットに含まれるセルによりサポートされるＰＬＭＮ＿ＩＤであってもよい。
【００９２】
図３に示すように、本発明の一実施形態による第２のセルセットを用いるＣＡ処理方法は、次を含む：
【００９３】
ステップ３０１：ＣＡユーザ装置を決定する。
【００９４】
ステップ３０２：アクセスされるセル中のＣＡユーザ装置により用いられるＰＬＭＮ＿ＩＤを含む第２のセルセットを決定する。
【００９５】
ステップ３０３：決定された第２のセルセット中のセルにより用いられる周波数を決定する。
【００９６】
ステップ３０４：セルにより利用される決定された周波数から、ＣＡユーザ装置によりサポートし得る一周波数を選択し、選択された周波数に対応するセルを第２のセルとして利用する。
【００９７】
以下に、一例を用いて、ターゲットセル決定方法２を説明する。
実施例１
【００９８】
セル１はＰＬＭＮ−ＡとＰＬＭＮ−Ｂをサポートし、セル２はＰＬＭＮ−Ａをサポートし、セル３はＰＬＭＮ−ＢとＰＬＭＮ−Ｃをサポートすると仮定する。
【００９９】
各構成によると、第２のセルセット１はセル１のＰＬＭＮ−Ａとセル２のＰＬＭＮ−Ａを含み；第２のセルセット２はセル１のＰＬＭＮ−Ｂとセル３のＰＬＭＮ−Ｂを含む。言うまでもなく、第２のセルセット１はＰＬＭＮ−Ａをサポートするセルセットであり、第２のセルセット２はＰＬＭＮ−Ｂをサポートしているセルセットである。
【０１００】
ＰＬＭＮ−Ａに属し、セル１にアクセスするＣＡユーザ装置１について、ＰＬＭＮ−Ａをサポートする第２のセルセット（すなわち、第２のセルセット１）において選択が実行される。ＣＡユーザ装置１がセル２に対応する周波数をサポートする場合、セル２に対応する周波数のＣＡ測定制御情報を配信する（またはＣＡユーザ装置２のＣＡセルとしてセル１が構成される）。
【０１０１】
ＰＬＭＮ−Ｂに属し、セル３にアクセスするＣＡユーザ装置２について、ＰＬＭＮ−Ｂをサポートする第２のセルセット（すなわち、第２のセルセット２）において選択が実行される。ＣＡユーザ装置２がセル１に対応する周波数をサポートする場合、セル１に対応する周波数のＣＡ測定制御情報を配信する（またはＣＡユーザ装置２のＣＡセルとしてセル１が構成される）。
実施例２
【０１０２】
セル１、セル２及びセル３はすべてＰＬＭＮ−ＡとＰＬＭＮ−Ｂをサポートしているが、ＰＬＭＮ−Ａはセル１とセル２においてＣＡを実行することを欲し、ＰＬＭＮ−Ｂはセル２とセル３においてＣＡを実行することを欲していると仮定する。
【０１０３】
各構成によると、第２のセルセットＣＡセット１はセル１のＰＬＭＮ−Ａとセル２のＰＬＭＮ−Ａを含み；第２のセルセットＣＡセット２はセル２のＰＬＭＮ−Ｂとセル３のＰＬＭＮ−Ｂを含む。
【０１０４】
ＰＬＭＮ−Ａに属し、セル１にアクセスするＣＡユーザ装置について、ＰＬＭＮ−Ａをサポートする第２のセルセット（すなわち、第２のセルセット１）において選択が実行される。ＣＡユーザ装置１がセル２に対応する周波数をサポートする場合、セル２に対応する周波数のＣＡ測定制御情報を配信する（またはＣＡユーザ装置２のＣＡセルとしてセル１が構成される）。第２のセルセット１はセル３を含まないので、ＣＡユーザ装置がセル３に対応する周波数をサポートするか否かに関わらず、セル３に対応する周波数のＣＡ測定制御情報は配信されない（またはセル３がＣＡユーザ装置１のＣＡセルとして構成されない）。
【０１０５】
ＰＬＭＮ−Ｂに属し、セル２にアクセスするＣＡユーザ装置２について、ＰＬＭＮ−Ｂをサポートする第２のセルセット（すなわち、第２のセルセット２）において選択が実行される。ＣＡユーザ装置２がセル３に対応する周波数をサポートする場合、セル３に対応する周波数のＣＡ測定制御情報を配信する（またはＣＡユーザ装置２のＣＡセルとしてセル３が構成される）。第２のセルセット１はセル１を含まないので、ＣＡユーザ装置がセル１に対応する周波数をサポートするか否かに関わらず、セル１に対応する周波数のＣＡ測定制御情報は配信されない（またはセル１がＣＡユーザ装置２のＣＡセルとして構成されない）。
【０１０６】
前記のケース２の場合、第２のセルを決定するやり方は多数あり、そのうちの幾つかを以下に説明する。
【０１０７】
セル決定方法３：第１のセルを含む第１のセルセットから、ＣＡユーザ装置によりサポートされ得る周波数をアダプトしたセルを選択する。この場合、第１のセルセットはＣＡを実行できる少なくとも２つのセルを含む。及び、上記選択されたセルから、第２のセルによりサポートされたＰＬＭＮ＿ＩＤをサポートするセルを第２のセルとして選択する。
【０１０８】
セル決定方法３において、第１のセルセットがセルの粒度（ｇｒａｎｕｌａｒｉｔｙ）に基づき構成され、構成により、どのセルが第１のセルセットに含まれるか決定される。
【０１０９】
実施の際、一周波数を用いたセルのフィルタリングが最初に処理される。すなわち、ＣＡユーザ装置によりサポートし得る周波数をアダプトするセルが、第１のセルを含む第１のセルセットから選択される。次に、ＰＬＭＮ＿ＩＤを用いるセルのフィルタリングが処理される。すなわち、第２のセルによりサポートされたＰＬＭＮ＿ＩＤをサポートするセルが、選択されたセルから、第２のセルとして選択される。
【０１１０】
ＣＡユーザ装置により選択されるターゲットセルは、ＣＡユーザ装置によりサポートされた周波数をアダプト（ａｄｏｐｔ）し、ＣＡユーザ装置がアクセスするセルにより用いられるＰＬＭＮ＿ＩＤによりＣＡを実行し得るＰＬＭＮ＿ＩＤでもあるＰＬＭＮ＿ＩＤをサポートするので、確実に、各オペレータのＣＡユーザ装置が複数のキャリア上でＣＡを実行し、その複数のキャリアによりサポートされたＰＬＭＮ＿ＩＤがそのオペレータに属す場合、他のオペレータ（すなわち、他のＰＬＭＮ＿ＩＤｓ）のキャリアリソースの利用を回避する。
【０１１１】
セル決定方法４：第１のセルを含む第３のセルセットから、第２のセルによりサポートされたＰＬＭＮ＿ＩＤと、ユーザ装置によりサポートされた周波数とをサポートしているセルを選択する。この場合、各第２のセルセットは、少なくとも２つのセルと、含まれるすべてのセルによりサポートされた周波数とを含む。ＣＡは、同じ第２のセルセット中の各セルによりサポートされたＰＬＭＮ＿ＩＤの間で実行できる。
【０１１２】
実施の際、周波数を用いたセルのフィルタリングが処理される。すなわち、第１のセルとユーザ装置によりサポートされる周波数とを含む第３のセルセットが選択される。次に、ＰＬＭＮ＿ＩＤを用いるセルのフィルタリングが処理される。すなわち、第２のセルによりサポートされたＰＬＭＮ＿ＩＤをサポートするセルが、ユーザ装置によりサポートされた第１のセルと周波数とを含む第３のセルセットから選択される。
【０１１３】
ＣＡユーザ装置により選択されるターゲットセルは、ＣＡユーザ装置によりサポートされた周波数をアダプト（ａｄｏｐｔ）し、ＣＡユーザ装置がアクセスするセルにより用いられるＰＬＭＮ＿ＩＤによりＣＡを実行し得るＰＬＭＮ＿ＩＤでもあるＰＬＭＮ＿ＩＤをサポートするので、確実に、各オペレータのＣＡユーザ装置が複数のキャリア上でＣＡを実行し、その複数のキャリアによりサポートされたＰＬＭＮ＿ＩＤがそのオペレータに属す場合、他のオペレータ（すなわち、他のＰＬＭＮ＿ＩＤｓ）のキャリアリソースの利用を回避する。
【０１１４】
好ましくは、ステップ１０２において、決定された第２のセルによるＣＡユーザ装置へのＣＡ測定制御情報の送信には、
第２のセルに対応する周波数のＣＡ測定制御情報のＣＡユーザ装置への送信が含まれる。
【０１１５】
好ましくは、ステップ１０２において、第２のセルをＣＡユーザ装置のＣＡセルとしての構成は：
ＣＡユーザ装置に対し第２のセルの直接構成を含む。
【０１１６】
好ましくは、本方法は、ステップ１０２の後：
ＣＡユーザ装置から受信した測定情報により、第２のセルをＣＡユーザ装置のＣＡセルとして構成するステップをさらに含む。この場合、測定情報は、ＣＡ測定制御情報によりＣＡユーザ装置により実行される測定により取得される。
【０１１７】
測定情報によりＣＡセルを構成する具体的な方法については、３ＧＰＰプロトコルを参照できるので、ここでは詳細は説明しない。
【０１１８】
本発明の実施形態において、アクセスされた第１のセル中のＣＡユーザ装置により用いられる第１のＰＬＭＮ＿ＩＤと、ＣＡユーザ装置によりサポートされる周波数とにより、第２の周波数が決定される。この場合、第１のセルは第１の周波数を用い、ＣＡは第２の周波数によりサポートされた第２のＰＬＭＮ＿ＩＤ及び第１のセル中のＣＡユーザ装置により用いられる第１のＰＬＭＮ＿ＩＤで実行でき、第２の周波数はＣＡユーザ装置によりサポートできる。第２の周波数を含むＣＡ測定制御情報がＣＡユーザ装置に送信される。本発明の実施形態では、アクセスされたセル中のＣＡユーザ装置により用いられるＰＬＭＮ＿ＩＤによりターゲットセルが決定されるので、ＣＡ処理はネットワーク共有シナリオで実行できる。
【０１１９】
図４に示すように、本発明の一実施形態による周波数ベースのＣＡ処理方法は、次のステップを含む：
【０１２０】
ステップ４０１：アクセスされた第１のセル中のＣＡユーザ装置により用いられる第１のＰＬＭＮ＿ＩＤと、ＣＡユーザ装置によりサポートされる周波数とにより、第２の周波数が決定される。この場合、第１のセルは第１の周波数を用い、ＣＡは第２の周波数によりサポートされた第２のＰＬＭＮ＿ＩＤ及び第１のセル中のＣＡユーザ装置により用いられる第１のＰＬＭＮ＿ＩＤで実行でき、第２の周波数はＣＡユーザ装置によりサポートできる。
【０１２１】
ステップ４０２：第２の周波数を含むＣＡ測定制御情報をＣＡユーザ装置に送信する。
【０１２２】
第２の周波数は第１のセルによりサポートされる周波数とは異なる。
【０１２３】
第１のセルにおいてＣＡユーザ装置により用いられる第１のＰＬＭＮ＿ＩＤとＣＡが実行される第２のＰＬＭＮ＿ＩＤは、限定はされないが、次のうちの少なくとも１つを含む：
第２のＰＬＭＮ＿ＩＤは第１のＰＬＭＮ＿ＩＤと同一である、及び
第２のＰＬＭＮ＿ＩＤは第１のＰＬＭＮ＿ＩＤと等価である。ここで、等価なＰＬＭＮは同じ位置を有し、例えば同じ優先度を有する。
【０１２４】
上記の２つのタイプに加えて、第２のセルによりサポートされ、第１のセルにおいてＣＡユーザ装置により用いられるＰＬＭＮ＿ＩＤによりＣＡが実行されるＰＬＭＮ＿ＩＤは、オペレータの必須要件により設定され得る。
【０１２５】
ステップ４０１において、第２のセルが、アクセスされる第１のセル中のＣＡユーザ装置により用いられる第１のセルにおけるＣＡユーザ装置により用いられるＰＬＭＮ＿ＩＤと、ＣＡユーザ装置によりサポートされた周波数とにより決定されるとき、次が現実的である：
【０１２６】
ケース１：ＰＬＭＮ＿ＩＤは、周波数がスクリーンされる前にスクリーンされる。
【０１２７】
具体的に、ＣＡユーザ装置によりサポートされ得る周波数によりサポートされ得る周波数が、第１のＰＬＭＮ＿ＩＤとＣＡが実行できる第２のＰＬＭＮ＿ＩＤをサポートしている周波数から、第２の周波数として選択される。
【０１２８】
ケース２：周波数は、ＰＬＭＮ＿ＩＤがスクリーンされる前にスクリーンされる。
【０１２９】
具体的に、ＣＡユーザ装置によりサポートされ得る周波数から、第１のＰＬＭＮ＿ＩＤとＣＡが実行できる第２のＰＬＭＮ＿ＩＤをサポートしている周波数が、第２の周波数として選択される。
【０１３０】
前記のケース１の場合、第１の周波数を決定するやり方は多数あり、そのうちの幾つかを以下に説明する。
【０１３１】
周波数決定方法１：第１の周波数セットから、第２のＰＬＭＮ＿ＩＤをサポートしている周波数を選択し、第２のＰＬＭＮ＿ＩＤをサポートしている選択された周波数から、ＣＡユーザ装置によりサポートし得る周波数を、第２の周波数として選択する。
【０１３２】
第２のセルによりサポートされるＰＬＭＮ＿ＩＤをサポートする周波数が、第１の周波数セットから選択される。この場合、第１の周波数セットは少なくとも２つの周波数を含む。ＣＡユーザ装置によりサポートされ得る、第１のセルによりサポートされた周波数とは異なる周波数が、選択された周波数から第２の周波数として選択される。
【０１３３】
周波数決定方法１において、第１の周波数セットが周波数の粒度（ｇｒａｎｕｌａｒｉｔｙ）に基づき構成され、構成により、どの周波数が第１の周波数セットに含まれるかが決定される。
【０１３４】
実施の際、ＰＬＭＮ＿ＩＤを用いたセルのフィルタリングを最初に処理する。すなわち、第２のセルによりサポートされたＰＬＭＮ＿ＩＤをサポートする周波数が、第１の周波数セットから選択される。次に、周波数を用いてセルをフィルタリングするステップが処理される。すなわち、ＣＡユーザ装置によりサポートされ得る、第１のセルによりサポートされた周波数とは異なる周波数が、選択された周波数から第２の周波数として選択される。
【０１３５】
ＣＡユーザ装置により選択されるターゲットセルは、ＣＡユーザ装置によりサポートされた周波数をアダプト（ａｄｏｐｔ）し、ＣＡユーザ装置がアクセスするセルにより用いられるＰＬＭＮ＿ＩＤによりＣＡを実行し得るＰＬＭＮ＿ＩＤでもあるＰＬＭＮ＿ＩＤをサポートするので、確実に、各オペレータのＣＡユーザ装置が複数のキャリア上でＣＡを実行し、その複数のキャリアによりサポートされたＰＬＭＮ＿ＩＤがそのオペレータに属す場合、他のオペレータ（すなわち、他のＰＬＭＮ＿ＩＤｓ）のキャリアリソースの利用を回避する。
【０１３６】
図５に示すように、本発明の一実施形態による第１の周波数セットを用いるＣＡ処理方法は、次を含む：
【０１３７】
ステップ５０１：ＣＡユーザ装置を決定する。
【０１３８】
ステップ５０２：第１の周波数セットを決定する。
【０１３９】
ステップ５０３：決定された第１の周波数セットから、第２のセルによりサポートされたＰＬＭＮ＿ＩＤをサポートする周波数を選択する。
【０１４０】
ステップ５０４：ＣＡユーザ装置によりサポートされ得る、第１のセルによりサポートされた周波数とは異なる周波数を、選択された周波数から第２の周波数として選択する。
【０１４１】
周波数決定方法２：第２のＰＬＭＮ＿ＩＤをサポートする第２の周波数セットから、ＣＡユーザ装置によりサポートされ得る周波数を、第２の周波数として選択する。
【０１４２】
具体的に、ＣＡユーザ装置によりサポートされ得る、第１のセルによりサポートされた周波数とは異なる周波数が、第１のセル中のＣＡユーザ装置により用いられるＰＬＭＮ＿ＩＤを含む第２の周波数セットから、第２の周波数として選択される。ＣＡは、同じ第２の周波数セット中の各周波数によりサポートされたＰＬＭＮ＿ＩＤの間で実行できる。
【０１４３】
周波数決定方法２において、周波数の粒度とＰＬＭＮの粒度とに基づき、第２の周波数セットが構成され、構成により、どの周波数と、その周波数におけるセルに対応するどのＰＬＭＮが第２の周波数セットに含まれるか決定される。
【０１４４】
実施の際、ＰＬＭＮ＿ＩＤを用いるセルのフィルタリングが最初に処理される。すなわち、第１のセル中のＣＡユーザ装置により用いられるＰＬＭＮ＿ＩＤを含む第２の周波数セットが選択される。次に、周波数を用いてセルをフィルタリングするステップが処理される。すなわち、ＣＡユーザ装置によりサポートされ得る、第１のセルによりサポートされた周波数とは異なる周波数が、第２の周波数セットから、第２の周波数として選択される。
【０１４５】
ＣＡユーザ装置により選択されるターゲットセルは、ＣＡユーザ装置によりサポートされた周波数をアダプト（ａｄｏｐｔ）し、ＣＡユーザ装置がアクセスするセルにより用いられるＰＬＭＮ＿ＩＤによりＣＡを実行し得るＰＬＭＮ＿ＩＤでもあるＰＬＭＮ＿ＩＤをサポートするので、確実に、各オペレータのＣＡユーザ装置が複数のキャリア上でＣＡを実行し、その複数のキャリアによりサポートされたＰＬＭＮ＿ＩＤがそのオペレータに属す場合、他のオペレータ（すなわち、他のＰＬＭＮ＿ＩＤｓ）のキャリアリソースの利用を回避する。
【０１４６】
図６に示すように、本発明の一実施形態による第２の周波数セットを用いるＣＡ処理方法は、次を含む：
【０１４７】
ステップ６０１：ＣＡユーザ装置を決定する。
【０１４８】
ステップ６０２：第１のセル中のＣＡユーザ装置により用いられるＰＬＭＮ＿ＩＤを含む第２の周波数セットを決定する。
【０１４９】
ステップ６０３：ＣＡユーザ装置によりサポートされ得る、第１のセルによりサポートされた周波数とは異なる周波数を、第２の周波数セットから、第２の周波数として選択する。
【０１５０】
前記のケース２の場合、第２の周波数を決定するやり方は多数あり、そのうちの１つを以下に説明する。
【０１５１】
周波数決定方法３：第１の周波数セットから、ＣＡユーザ装置によりサポートされ得る周波数を選択し、ＣＡユーザ装置によりサポートされ得る選択された周波数から、第１のＰＬＭＮ＿ＩＤとＣＡを実行できる第２のＰＬＭＮ＿ＩＤをサポートしている周波数を、第２の周波数として選択する。
【０１５２】
具体的に、ＣＡユーザ装置によりサポートされ得る、第１のセルによりサポートされた周波数とは異なる周波数が、第１のセルによりサポートされた周波数を含む第１の周波数セットから選択される。この場合、第１の周波数セットは少なくとも２つの周波数を含む。第２のセルによりサポートされたＰＬＭＮ＿ＩＤをサポートしている周波数が、選択された周波数から、第２の周波数として選択される。
【０１５３】
周波数決定方法３において、第１の周波数セットが周波数の粒度（ｇｒａｎｕｌａｒｉｔｙ）に基づき構成され、構成により、どの周波数が第１の周波数セットに含まれるか決定される。
【０１５４】
実施の際、周波数を用いてセルをフィルタリングするステップが最初に処理される。すなわち、ＣＡユーザ装置によりサポートされ得る、第２のセルによりサポートされた周波数とは異なる周波数が、第１のセルによりサポートされた周波数を含む第１の周波数セットから選択される。次に、ＰＬＭＮ＿ＩＤを用いてセルをフィルタリングするステップが処理される。すなわち、第２のセルによりサポートされたＰＬＭＮ＿ＩＤをサポートしているセルが、選択された周波数から、第２の周波数として選択される。
【０１５５】
ＣＡユーザ装置により選択されるターゲットセルは、ＣＡユーザ装置によりサポートされた周波数をアダプト（ａｄｏｐｔ）し、ＣＡユーザ装置がアクセスするセルにより用いられるＰＬＭＮ＿ＩＤとＣＡを実行し得るＰＬＭＮ＿ＩＤでもあるＰＬＭＮ＿ＩＤをサポートするので、確実に、各オペレータのＣＡユーザ装置が複数のキャリア上でＣＡを実行し、他のオペレータ（すなわち、他のＰＬＭＮ＿ＩＤｓ）のキャリアリソースの利用を回避する。この場合、複数のキャリアによりサポートされたＰＬＭＮ＿ＩＤはそのオペレータに属する。
【０１５６】
好ましくは、ステップ２０２において、決定された第２の周波数によりＣＡユーザ装置へＣＡ測定制御情報を送信するステップは、
第１の周波数に特有のＣＡ測定制御情報をＣＡユーザ装置に送信するステップを含む。
【０１５７】
好ましくは、本方法は、ステップ２０２の後：ＣＡユーザ装置から受信した測定情報により、第２のセルを、ＣＡユーザ装置のＣＡセルとして構成するステップをさらに含む。この場合、測定情報は、ＣＡ測定制御情報によりＣＡユーザ装置により実行される測定により取得される。
【０１５８】
測定情報によりＣＡセルを構成する具体的な方法については、３ＧＰＰプロトコルを参照できるので、ここでは詳細は説明しない。
【０１５９】
本発明の上記の実施形態は、基地局（例えば、マクロ基地局、ホーム基地局など）により実施でき、ＲＮ（リレーノード）デバイスであってもよく、またはその他の任意のネットワーク側デバイスであってもよい。
【０１６０】
上記のセットは必要に応じてオペレータにより分類され得るので、複雑なネットワーク共有プラスＣＡシナリオでは、本発明の実施形態のソリューションは、各オペレータのＣＡユーザ装置がそのオペレータのキャリア上でＣＡを実行できるようにして、各オペレータの柔軟なＣＡ制御ポリシーをサポートする。
【０１６１】
上記のセルベースＣＡ処理方法に関して、本発明の一実施形態はさらに対応デバイスを提供する。
【０１６２】
図７に示したように、本発明の一実施形態によるＣＡ処理を実行する第１のネットワーク側デバイスは、決定モジュール７０と送信モジュール７１とを含む。
【０１６３】
決定モジュール７０は、第１のセル中のＣＡユーザ装置により用いられる第１のＰＬＭＮ＿ＩＤとＣＡユーザ装置によりサポートされた周波数とにより、第２のセルを決定するように構成されている。ここで、第１のセルはＣＡ  ＵＥが現在アクセスしているセルであり、ＣＡは第２のセルによりサポートされた第２のＰＬＭＮ＿ＩＤと、第１のセル中のＣＡユーザ装置により用いられる第１のＰＬＭＮ＿ＩＤとに対し実行でき、第２のセルにより用いられる周波数はＣＡユーザ装置によりサポートされ得る。
【０１６４】
送信モジュール７１は、第２のセルにより用いられる周波数を含むＣＡ測定制御情報をＣＡユーザ装置に送信する、または第２のセルをＣＡユーザ装置のためにＣＡセルとして設定するように構成されている。
【０１６５】
好ましくは、第１のセルにおいて、ＣＡユーザ装置により用いられる第１のＰＬＭＮ＿ＩＤとＣＡが実行される第２のＰＬＭＮ＿ＩＤは、第２のＰＬＭＮ＿ＩＤは第１のＰＬＭＮ＿ＩＤと同一であること、または第２のＰＬＭＮ＿ＩＤが第１のＰＬＭＮ＿ＩＤと等価であることを含む。
【０１６６】
好ましくは、決定モジュール７０は具体的に：
第１のＰＬＭＮ＿ＩＤとＣＡを実行できる第２のＰＬＭＮ＿ＩＤをサポートしているセルから、ＣＡユーザ装置によりサポートされ得る周波数をアダプトするセルを、第２のセルとして選択する、または
ＣＡユーザ装置によりサポートされ得る周波数をアダプトするセルから、第１のＰＬＭＮ＿ＩＤとＣＡが実行できる第２のＰＬＭＮ＿ＩＤをサポートしているセルを、第２のセルとして選択するように構成されている。
【０１６７】
好ましくは、決定モジュール７０は具体的に：
第１のセルセットから、第２のＰＬＭＮ＿ＩＤをサポートしているセルを選択し、第２のＰＬＭＮ＿ＩＤをサポートしている選択されたセルから、ＣＡユーザ装置によりサポートし得る周波数に合わせるセルを選択する、または
第２のＰＬＭＮ＿ＩＤをサポートする第２のセルセットから、ＣＡユーザ装置によりサポートできる周波数をアダプトするセルを、第２のセルとして選択するように構成されている。
【０１６８】
好ましくは、決定モジュール７０は具体的に：第１のセルセットから、ＣＡユーザ装置によりサポートされ得る周波数をアダプトするセルを選択し、ＣＡユーザ装置によりサポートし得る周波数をアダプトした選択されたセルから、第１のＰＬＭＮ＿ＩＤとのＣＡを実行できる第２のＰＬＭＮ＿ＩＤをサポートするセルを、第２のセルとして選択するように構成されている。
【０１６９】
好ましくは、送信モジュール７１は具体的に：第２のセルにより用いられる周波数を含むＣＡ測定制御情報をＣＡユーザ装置に送信後、ＣＡユーザ装置から受信した測定情報に応じて、ＣＡユーザ装置のＣＡセルとして、第２のセルを、構成するように構成されている。ここで、測定情報は、ＣＡ測定制御情報によりＣＡユーザ装置により実行される測定により得られる。
【０１７０】
上記の周波数ベースＣＡ処理方法に関して、本発明の一実施形態はさらに対応デバイスを提供する。
【０１７１】
図８に示したように、本発明の一実施形態によるＣＡ処理を実行する第２のネットワーク側デバイスは、決定モジュール８０と送信モジュール８１とを含む。
【０１７２】
決定モジュール８０は、アクセスされた第１のセル中のＣＡユーザ装置により用いられる第１のＰＬＭＮ＿ＩＤと、ＣＡユーザ装置によりサポートされる周波数とにより、第２の周波数を決定するように構成されている。この場合、第１のセルは第１の周波数を用い、ＣＡは第２の周波数によりサポートされた第２のＰＬＭＮ＿ＩＤ及び第１のセル中のＣＡユーザ装置により用いられる第１のＰＬＭＮ＿ＩＤで実行でき、第２の周波数はＣＡユーザ装置によりサポートできる。
【０１７３】
送信モジュール８１は、第２の周波数を含むＣＡ測定制御情報をＣＡユーザ装置に送信するように構成されている。
【０１７４】
好ましくは、第１のセルにおいて、ＣＡユーザ装置により用いられる第１のＰＬＭＮ＿ＩＤとＣＡが実行される第２のＰＬＭＮ＿ＩＤは、第２のＰＬＭＮ＿ＩＤは第１のＰＬＭＮ＿ＩＤと同一であること、または第２のＰＬＭＮ＿ＩＤが第１のＰＬＭＮ＿ＩＤと等価であることを含む。
【０１７５】
好ましくは、決定モジュール８０は具体的に：
第１のＰＬＭＮ＿ＩＤとＣＡを実行できる第２のＰＬＭＮ＿ＩＤをサポートしている周波数から、ＣＡユーザ装置によりサポートされ得る周波数を、第２の周波数として選択する、または
ＣＡユーザ装置によりサポートされ得る周波数から、第１のＰＬＭＮ＿ＩＤとＣＡが実行できる第２のＰＬＭＮ＿ＩＤをサポートしている周波数を、第２の周波数として選択する。
【０１７６】
好ましくは、決定モジュール８０は具体的に：
第１の周波数セットから、第２のＰＬＭＮ＿ＩＤをサポートしている周波数を選択し、第２のＰＬＭＮ＿ＩＤをサポートしている選択された周波数から、ＣＡユーザ装置によりサポートし得る周波数を、第２の周波数として選択する、または
第２のＰＬＭＮ＿ＩＤをサポートする第２の周波数セットから、ＣＡユーザ装置によりサポートされ得る周波数を、第２の周波数として選択する。
【０１７７】
好ましくは、決定モジュール８０は具体的に：第１の周波数セットから、ＣＡユーザ装置によりサポートされ得る周波数を選択し、ＣＡユーザ装置によりサポートされ得る選択された周波数から、第１のＰＬＭＮ＿ＩＤとＣＡを実行できる第２のＰＬＭＮ＿ＩＤをサポートしている周波数を、第２の周波数として選択するように構成されている。
【０１７８】
好ましくは、送信モジュール８１は具体的に：第２の周波数を含むＣＡ測定制御情報をＣＡユーザ装置に送信後、ＣＡユーザ装置から受信した測定情報に応じて、第２の周波数に対応する第２のセルを、ＣＡユーザ装置のＣＡセルとして構成するように構成されている。ここで、測定情報は、ＣＡ測定制御情報によりＣＡユーザ装置により実行される測定により得られる。
【０１７９】
図９に示したように、本発明の一実施形態によるＣＡ処理を実行する第３のネットワーク側デバイスは、プロセッサ９０と送信器９１とを含む。
【０１８０】
プロセッサ９０は、第１のセル中のＣＡユーザ装置により用いられる第１のＰＬＭＮ＿ＩＤとＣＡユーザ装置によりサポートされた周波数とにより、第２のセルを決定するように構成されている。ここで、第１のセルはＣＡ  ＵＥが現在アクセスしているセルであり、ＣＡは第２のセルによりサポートされた第２のＰＬＭＮ＿ＩＤと、第１のセル中のＣＡユーザ装置により用いられる第１のＰＬＭＮ＿ＩＤとに対し実行でき、第２のセルにより用いられる周波数はＣＡユーザ装置によりサポートされ得る。
【０１８１】
送信器９１は、第２のセルにより用いられる周波数を含むＣＡ測定制御情報をＣＡユーザ装置に送信する、または第２のセルをＣＡユーザ装置のためにＣＡセルとして設定するように構成されている。
【０１８２】
好ましくは、第１のセルにおいて、ＣＡユーザ装置により用いられる第１のＰＬＭＮ＿ＩＤとＣＡが実行される第２のＰＬＭＮ＿ＩＤは、第２のＰＬＭＮ＿ＩＤは第１のＰＬＭＮ＿ＩＤと同一であること、または第２のＰＬＭＮ＿ＩＤが第１のＰＬＭＮ＿ＩＤと等価であることを含む。
【０１８３】
好ましくは、プロセッサ９０は具体的に：
第１のＰＬＭＮ＿ＩＤとＣＡを実行できる第２のＰＬＭＮ＿ＩＤをサポートしているセルから、ＣＡユーザ装置によりサポートされ得る周波数をアダプトするセルを、第２のセルとして選択する、または
ＣＡユーザ装置によりサポートされ得る周波数をアダプトするセルから、第１のＰＬＭＮ＿ＩＤとＣＡが実行できる第２のＰＬＭＮ＿ＩＤをサポートしているセルを、第２のセルとして選択するように構成されている。
【０１８４】
好ましくは、プロセッサ９０は具体的に：
第１のセルセットから、第２のＰＬＭＮ＿ＩＤをサポートしているセルを選択し、第２のＰＬＭＮ＿ＩＤをサポートしている選択されたセルから、ＣＡユーザ装置によりサポートし得る周波数に合わせるセルを選択する、または
第２のＰＬＭＮ＿ＩＤをサポートする第２のセルセットから、ＣＡユーザ装置によりサポートできる周波数をアダプトするセルを、第２のセルとして選択するように構成されている。
【０１８５】
好ましくは、プロセッサ９０は具体的に：
第１のセルセットから、ＣＡユーザ装置によりサポートされ得る周波数をアダプトするセルを選択し、ＣＡユーザ装置によりサポートし得る周波数をアダプトした選択されたセルから、第１のＰＬＭＮ＿ＩＤとＣＡを実行できる第２のＰＬＭＮ＿ＩＤをサポートするセルを、第２のセルとして選択するように構成されている。
【０１８６】
好ましくは、送信器９１はさらに：第２のセルにより用いられる周波数を含むＣＡ測定制御情報をＣＡユーザ装置に送信後、ＣＡユーザ装置から受信した測定情報に応じて、ＣＡユーザ装置のＣＡセルとして、第２のセルを、構成するように構成されている。ここで、測定情報は、ＣＡ測定制御情報によりＣＡユーザ装置により実行される測定により得られる。
【０１８７】
図１０に示したように、本発明の一実施形態によるＣＡ処理を実行する第４のネットワーク側デバイスは、プロセッサ１１と送信器１２とを含む。
【０１８８】
プロセッサ１１は、アクセスされた第１のセル中のＣＡユーザ装置により用いられる第１のＰＬＭＮ＿ＩＤと、ＣＡユーザ装置によりサポートされる周波数とにより、第２の周波数を決定するように構成されている。この場合、第１のセルは第１の周波数を用い、ＣＡは第２の周波数によりサポートされた第２のＰＬＭＮ＿ＩＤ及び第１のセル中のＣＡユーザ装置により用いられる第１のＰＬＭＮ＿ＩＤで実行でき、第２の周波数はＣＡユーザ装置によりサポートできる。
【０１８９】
送信器１２は、第２の周波数を含むＣＡ測定制御情報をＣＡユーザ装置に送信するように構成されている。
【０１９０】
好ましくは、第１のセルにおいて、ＣＡユーザ装置により用いられる第１のＰＬＭＮ＿ＩＤとＣＡが実行される第２のＰＬＭＮ＿ＩＤは、第２のＰＬＭＮ＿ＩＤは第１のＰＬＭＮ＿ＩＤと同一であること、または第２のＰＬＭＮ＿ＩＤが第１のＰＬＭＮ＿ＩＤと等価であることを含む。
【０１９１】
好ましくは、プロセッサ１１は具体的に：
第１のＰＬＭＮ＿ＩＤとＣＡを実行できる第２のＰＬＭＮ＿ＩＤをサポートしている周波数から、ＣＡユーザ装置によりサポートされ得る周波数を、第２の周波数として選択する、または
ＣＡユーザ装置によりサポートされ得る周波数から、第１のＰＬＭＮ＿ＩＤとのＣＡが実行できる第２のＰＬＭＮ＿ＩＤをサポートしている周波数を、第２の周波数として選択するように構成されている。
【０１９２】
好ましくは、プロセッサ１１は具体的に：
第１の周波数セットから、第２のＰＬＭＮ＿ＩＤをサポートしている周波数を選択し、第２のＰＬＭＮ＿ＩＤをサポートしている選択された周波数から、ＣＡユーザ装置によりサポートし得る周波数を、第２の周波数として選択する、または
第２のＰＬＭＮ＿ＩＤをサポートする第２の周波数セットから、ＣＡユーザ装置によりサポートされ得る周波数を、第２の周波数として選択するように構成されている。
【０１９３】
好ましくは、プロセッサ１１は具体的に：第１の周波数セットから、ＣＡユーザ装置によりサポートされ得る周波数を選択し、ＣＡユーザ装置によりサポートされ得る選択された周波数から、第１のＰＬＭＮ＿ＩＤとＣＡを実行できる第２のＰＬＭＮ＿ＩＤをサポートしている周波数を、第２の周波数として選択するように構成されている。
【０１９４】
好ましくは、送信器１２はさらに：第２の周波数を含むＣＡ測定制御情報をＣＡユーザ装置に送信後、ＣＡユーザ装置から受信した測定情報に応じて、第２の周波数に対応する第２のセルを、ＣＡユーザ装置のＣＡセルとして構成するように構成されている。ここで、測定情報は、ＣＡ測定制御情報によりＣＡユーザ装置により実行される測定により得られる。
【０１９５】
本発明の上記の実施形態のネットワーク側デバイスは、基地局（例えば、マクロ基地局、ホーム基地局など）であってもよく、ＲＮ（リレーノード）デバイスであってもよく、またはその他の任意のネットワーク側デバイスであってもよい。
【０１９６】
当業者には言うまでもなく、本願の実施形態は、方法、システム、またはコンピュータプログラム製品として提供できる。それゆえ、本実施形態は、ハードウェアとして、ソフトウェアとして、またはこれらの組み合わせの形式で実施することができる。さらに、本願は、コンピュータ利用可能プログラムコードを含む一以上のコンピュータ利用可能記憶媒体（ディスクメモリ、ＣＤ−ＲＯＭ、光メモリなどを含むがこれらに限定されない）上に実装されたコンピュータプログラム製品の形式を取り得る。
【０１９７】
本願は、実施形態による方法、デバイス（システム）、及びコンピュータプログラム製品のフローチャート及び／またはブロック図を参照して説明している。言うまでもなく、コンピュータプログラム命令を用いて、フローチャート及び／またはブロック図の、及びフローチャート及び／またはブロック図のプロセス及び／またはブロックの組み合わせにより、各プロセス及び／または各ブロックを実装できる。これらのコンピュータプログラム命令を汎用コンピュータ、専用コンピュータ、組み込みプロセッサ、またはその他の任意のプログラマブルデータ処理デバイスのプロセッサに提供して、機械を生成することができ、コンピュータまたはその他の任意のプログラマブルデータ処理デバイスのプロセッサにより実行された命令が、フローチャート中の一以上のプロセス及び／またはブロック図中の一以上のブロックの具体的な機能を実装する装置を生成するようにする。
【０１９８】
これらのコンピュータプログラム命令は、コンピュータまたはその他の任意のプログラマブルデータ処理デバイスに特定の方法で機能するように命令できる、コンピュータ読み取り可能メモリに記憶され、コンピュータ読み取り可能メモリに記憶された命令が命令装置を含むアーティファクトを発生するようにし得る。命令装置は、フローチャート中一以上のプロセス及び／またはブロック図中の一以上のブロックの指定された機能を実装する。
【０１９９】
これらのコンピュータプログラム命令は、コンピュータまたはその他のプログラマブルデータ処理デバイスにロードされ、そのコンピュータまたはプログラマブルデータ処理デバイス上で一連の動作及びステップが実行され、コンピュータ実施の処理をするようになっている。それゆえ、コンピュータまたはプログラマブルデバイス上で実行される命令は、フローチャートの一以上のプロセス及び／またはブロック図の一以上のブロック中の指定機能を実施するステップを提供する。
【０２００】
本願の幾つかの実施例を説明したが、当業者は、基本的な発明コンセプトを学べば、これらの実施形態を変形及び修正できるだろう。それゆえ、以下の特許請求の範囲は、実施例と、本願の範囲内に入るすべての変形及び修正をカバーするように説明することを意図している。
【０２０１】
言うまでもないが、当業者は、本発明の範囲から逸脱することなく、本発明に様々な変形や修正をすることができる。このように、本発明は、本発明の修正及び変形が本発明の特許請求の範囲またはそれと均等な技術の範囲内に入れば、これらの修正及び変形をカバーすることを意図している。
【０２０２】
実施形態について付記を記す。
（付記１）  キャリアアグリゲーション処理の方法であって、
第１のセルのキャリアアグリゲーション（ＣＡ）ユーザ装置により用いられる公衆地上移動ネットワーク識別子（ＰＬＭＮ＿ＩＤ）と、前記ＣＡユーザ装置によりサポートされる周波数とにより、第２のセルを決定するステップであって、前記第１のセルはＣＡユーザ装置が現在アクセスしているセルであり、ＣＡは前記第２のセルによりサポートされた第２のＰＬＭＮ＿ＩＤと、前記第１のセルの前記ＣＡユーザ装置により用いられる前記第１のＰＬＭＮ＿ＩＤとで実行され、前記第２のセルにより用いられる周波数は前記ＣＡユーザ装置によりサポートされることができる、ステップと、
前記第２のセルにより用いられる前記周波数を含むＣＡ測定制御情報を前記ＣＡユーザ装置に送信する、または前記第２のセルを前記ＣＡユーザ装置のＣＡセルとして構成するステップと、を有する方法。
（付記２）  前記第１のセルにおいて、前記ＣＡユーザ装置により用いられる前記第１のＰＬＭＮ＿ＩＤとＣＡが実行される前記第２のＰＬＭＮ＿ＩＤは、
前記第２のＰＬＭＮ＿ＩＤは前記第１のＰＬＭＮ＿ＩＤと同一である、または
前記第２のＰＬＭＮ＿ＩＤが前記第１のＰＬＭＮ＿ＩＤと等価であることを含む、
付記１に記載の方法。
（付記３）  第１のセルのＣＡユーザ装置により用いられる第１のＰＬＭＮ＿ＩＤと、前記ＣＡユーザ装置によりサポートされる周波数とにより、第２のセルを決定するステップは、
前記第１のＰＬＭＮ＿ＩＤとＣＡを実行できる前記第２のＰＬＭＮ＿ＩＤをサポートしているセルから、前記ＣＡユーザ装置によりサポートされ得る周波数をアダプトするセルを、第２のセルとして選択するステップ、または
前記ＣＡユーザ装置によりサポートされ得る周波数をアダプトするセルから、前記第１のＰＬＭＮ＿ＩＤとＣＡが実行できる前記第２のＰＬＭＮ＿ＩＤをサポートしているセルを、第２のセルとして選択するステップを有する、
付記１または２に記載の方法。
（付記４）  前記第１のＰＬＭＮ＿ＩＤとＣＡを実行できる前記第２のＰＬＭＮ＿ＩＤをサポートしているセルから、前記ＣＡユーザ装置によりサポートされ得る周波数をアダプトするセルを、第２のセルとして選択するステップ、または
前記第１のセルセットから、前記第２のＰＬＭＮ＿ＩＤをサポートしているセルを選択し、前記第２のＰＬＭＮ＿ＩＤをサポートしている選択されたセルから、前記ＣＡユーザ装置によりサポートし得る周波数をアダプトしたセルを選択するステップ、または
前記第２のＰＬＭＮ＿ＩＤをサポートする第２のセルセットから、前記ＣＡユーザ装置によりサポートされ得る周波数をアダプトするセルを、第２のセルとして選択するステップを有する、
付記３に記載の方法。
（付記５）  前記ＣＡユーザ装置によりサポートされ得る周波数をアダプトするセルから、前記第１のＰＬＭＮ＿ＩＤとＣＡが実行できる前記第２のＰＬＭＮ＿ＩＤをサポートしているセルを、第２のセルとして選択するステップは、
第１のセルセットから、前記ＣＡユーザ装置によりサポートされ得る周波数をアダプトするセルを選択し、前記ＣＡユーザ装置によりサポートされ得る周波数をアダプトした選択されたセルから、前記第１のＰＬＭＮ＿ＩＤとＣＡを実行できる前記第２のＰＬＭＮ＿ＩＤをサポートするセルを、前記第２のセルとして選択するステップを有する、
付記３に記載の方法。
（付記６）  前記第２のセルにより用いられる周波数を含むＣＡ測定制御情報を前記ＣＡユーザ装置に送信した後、さらに、
前記ＣＡユーザ装置から受信した測定情報により、前記第２のセルを、前記ＣＡユーザ装置のＣＡセルとして構成するステップであって、前記測定情報は、前記ＣＡ測定制御情報により前記ＣＡユーザ装置により実行される測定により取得される、ステップを有する、
付記１ないし５いずれか一項に記載の方法。
（付記７）  キャリアアグリゲーション処理を実行するネットワーク側デバイスであって、
第１のセル中のキャリアアグリゲーション（ＣＡ）ユーザ装置により用いられる第１の公衆地上移動ネットワーク識別子（ＰＬＭＮ＿ＩＤ）と、前記ＣＡユーザ装置によりサポートされた周波数とにより、第２のセルを決定するように構成された決定モジュールであって、前記第１のセルはＣＡユーザ装置が現在アクセスしているセルであり、前記第２のセルによりサポートされた第２のＰＬＭＮ＿ＩＤと、前記第１のセルの前記ＣＡユーザ装置により用いられる第１のＰＬＭＮ＿ＩＤとに対しＣＡが実行でき、前記第２のセルにより用いられる周波数は前記ＣＡユーザ装置によりサポートされ得る、前記決定モジュールと、
前記第２のセルにより用いられる周波数を含むＣＡ測定制御情報を前記ＣＡユーザ装置に送信する、または前記第２のセルを前記ＣＡユーザ装置のためにＣＡセルとして構成するように構成されている送信モジュールとを有する、
ネットワーク側デバイス。
（付記８）  前記第１のセルにおいて、前記ＣＡユーザ装置により用いられる前記第１のＰＬＭＮ＿ＩＤとＣＡが実行される前記第２のＰＬＭＮ＿ＩＤは、
前記第２のＰＬＭＮ＿ＩＤは前記第１のＰＬＭＮ＿ＩＤと同一である、または
前記第２のＰＬＭＮ＿ＩＤが前記第１のＰＬＭＮ＿ＩＤと等価であることを含む、
付記７に記載のネットワーク側デバイス。
（付記９）  前記決定モジュールは具体的に：
前記第１のＰＬＭＮ＿ＩＤとＣＡを実行できる前記第２のＰＬＭＮ＿ＩＤをサポートしているセルから、前記ＣＡユーザ装置によりサポートされ得る周波数をアダプトするセルを、前記第２のセルとして選択する、または
前記ＣＡユーザ装置によりサポートされ得る周波数をアダプトするセルから、前記第１のＰＬＭＮ＿ＩＤとＣＡが実行できる前記第２のＰＬＭＮ＿ＩＤをサポートしているセルを、前記第２のセルとして選択するように構成されている、
付記７または８に記載のネットワーク側デバイス。
（付記１０）  前記決定モジュールは具体的に：
第１のセルセットから、前記第２のＰＬＭＮ＿ＩＤをサポートしているセルを選択し、前記第２のＰＬＭＮ＿ＩＤをサポートしている選択されたセルから、前記ＣＡユーザ装置によりサポートし得る周波数をアダプトするセルを、前記第２のセルとして選択する、または
前記第２のＰＬＭＮ＿ＩＤをサポートする第２のセルセットから、前記ＣＡユーザ装置によりサポートされ得る周波数をアダプトするセルを、前記第２のセルとして選択するように構成されている、
付記９に記載のネットワーク側デバイス。
（付記１１）  前記決定モジュールは具体的に：
第１のセルセットから、前記ＣＡユーザ装置によりサポートされ得る周波数をアダプトするセルを選択し、前記ＣＡユーザ装置によりサポートし得る周波数をアダプトした選択されたセルから、前記第１のＰＬＭＮ＿ＩＤとＣＡを実行できる第２のＰＬＭＮ＿ＩＤをサポートするセルを、前記第２のセルとして選択するように構成されている、
付記９に記載のネットワーク側デバイス。
（付記１２）  前記送信モジュールはさらに：
前記第２のセルにより用いられる周波数を含む前記ＣＡ測定制御情報を前記ＣＡユーザ装置に送信した後、前記ＣＡユーザ装置から受信した測定情報に応じて、前記第２のセルを、前記ＣＡユーザ装置のＣＡセルとして構成するように構成され、前記測定情報は、前記ＣＡ測定制御情報により前記ＣＡユーザ装置により実行される測定により得られる、
付記７ないし１１いずれか一項に記載のネットワーク側デバイス。
（付記１３）  キャリアアグリゲーション処理を実行するネットワーク側デバイスであって、
第１のセル中のキャリアアグリゲーション（ＣＡ）ユーザ装置により用いられる第１の公衆地上移動ネットワーク識別子（ＰＬＭＮ＿ＩＤ）と、前記ＣＡユーザ装置によりサポートされた周波数とにより、第２のセルを決定するように構成されたプロセッサであって、前記第１のセルはＣＡユーザ装置が現在アクセスしているセルであり、前記第２のセルによりサポートされた第２のＰＬＭＮ＿ＩＤと、前記第１のセルの前記ＣＡユーザ装置により用いられる第１のＰＬＭＮ＿ＩＤとに対しＣＡが実行でき、前記第２のセルにより用いられる周波数は前記ＣＡユーザ装置によりサポートされ得る、前記プロセッサと、
前記第２のセルにより用いられる周波数を含むＣＡ測定制御情報を前記ＣＡユーザ装置に送信する、または前記第２のセルを前記ＣＡユーザ装置のためにＣＡセルとして構成するように構成されている送信器とを有する、
ネットワーク側デバイス。
（付記１４）  前記第１のセルにおいて、前記ＣＡユーザ装置により用いられる前記第１のＰＬＭＮ＿ＩＤとＣＡが実行される前記第２のＰＬＭＮ＿ＩＤは、
前記第２のＰＬＭＮ＿ＩＤは前記第１のＰＬＭＮ＿ＩＤと同一である、または
前記第２のＰＬＭＮ＿ＩＤが前記第１のＰＬＭＮ＿ＩＤと等価であることを含む、
付記１３に記載のネットワーク側デバイス。
（付記１５）  前記プロセッサは、具体的に：
前記第１のＰＬＭＮ＿ＩＤとＣＡを実行できる前記第２のＰＬＭＮ＿ＩＤをサポートしているセルから、前記ＣＡユーザ装置によりサポートされ得る周波数をアダプトするセルを、前記第２のセルとして選択する、または
前記ＣＡユーザ装置によりサポートされ得る周波数をアダプトするセルから、前記第１のＰＬＭＮ＿ＩＤとＣＡが実行できる前記第２のＰＬＭＮ＿ＩＤをサポートしているセルを、前記第２のセルとして選択するように構成されている、
付記１３または１４に記載のネットワーク側デバイス。
（付記１６）  キャリアアグリゲーション処理の方法であって、
アクセスされた第１のセル中のキャリアアグリゲーション（ＣＡ）ユーザ装置により用いられる第１の公衆移動ネットワーク識別子（ＰＬＭＮ＿ＩＤ）と、前記ＣＡユーザ装置によりサポートされる周波数とにより、第２の周波数を決定するステップであって、前記第１のセルは第１の周波数を用い、前記第２の周波数によりサポートされた前記第２のＰＬＭＮ＿ＩＤと、前記第１のセル中の前記ＣＡユーザ装置により用いられる前記第１のＰＬＭＮ＿ＩＤとでＣＡが実行でき、前記第２の周波数は前記ＣＡユーザ装置によりサポートできる、ステップと、
前記第２の周波数を含むＣＡ測定制御情報を前記ＣＡユーザ装置に送信するステップとを有する、
方法。
（付記１７）  前記第１のセルにおいて、前記ＣＡユーザ装置により用いられる前記第１のＰＬＭＮ＿ＩＤとＣＡが実行される前記第２のＰＬＭＮ＿ＩＤは、
前記第２のＰＬＭＮ＿ＩＤは前記第１のＰＬＭＮ＿ＩＤと同一である、または
前記第２のＰＬＭＮ＿ＩＤが前記第１のＰＬＭＮ＿ＩＤと等価であることを含む、
付記１６に記載の方法。
（付記１８）  第１のセルのＣＡユーザ装置により用いられる第１のＰＬＭＮ＿ＩＤと、前記ＣＡユーザ装置によりサポートされる周波数とにより、第２の周波数を決定するステップは、
前記第１のＰＬＭＮ＿ＩＤとＣＡを実行し得る前記第２のＰＬＭＮ＿ＩＤをサポートしている周波数から、前記ＣＡユーザ装置によりサポートされ得る周波数を、前記第２の周波数として選択するステップ、または
前記ＣＡユーザ装置によりサポートされ得る周波数から、前記第１のＰＬＭＮ＿ＩＤとのＣＡが実行できる前記第２のＰＬＭＮ＿ＩＤをサポートしている周波数を、前記第２の周波数として選択するステップを有する、
付記１６または１７に記載の方法。
（付記１９）  前記第１のＰＬＭＮ＿ＩＤとＣＡを実行し得る前記第２のＰＬＭＮ＿ＩＤをサポートしている周波数から、前記ＣＡユーザ装置によりサポートされ得る周波数を、前記第２の周波数として選択するステップは、
第１の周波数セットから、前記第２のＰＬＭＮ＿ＩＤをサポートしている周波数を選択し、前記第２のＰＬＭＮ＿ＩＤをサポートしている選択された周波数から、前記ＣＡユーザ装置によりサポートし得る周波数を、前記第２の周波数として選択する、または
前記第２のＰＬＭＮ＿ＩＤをサポートする第２の周波数セットから、前記ＣＡユーザ装置によりサポートされ得る周波数を、前記第２の周波数として選択するステップを有する、
付記１８に記載の方法。
（付記２０）  前記ＣＡユーザ装置によりサポートされ得る周波数から、前記第１のＰＬＭＮ＿ＩＤとのＣＡが実行できる前記第２のＰＬＭＮ＿ＩＤをサポートしている周波数を、前記第２の周波数として選択するステップは、
第１の周波数セットから、前記ＣＡユーザ装置によりサポートされ得る周波数を選択し、前記ＣＡユーザ装置によりサポートされ得る選択された周波数から、前記第１のＰＬＭＮ＿ＩＤとＣＡを実行し得る前記第２のＰＬＭＮ＿ＩＤをサポートしている周波数を、前記第２の周波数として選択するステップを有する、
付記１８に記載の方法。
（付記２１）  前記第２の周波数を含むＣＡ測定制御情報を前記ＣＡユーザ装置に送信した後、さらに、
前記ＣＡユーザ装置から受信した測定情報により、前記第２の周波数に対応する第２のセルを、前記ＣＡユーザ装置のＣＡセルとして構成するステップであって、前記測定情報は、前記ＣＡ測定制御情報により前記ＣＡユーザ装置により実行される測定により取得される、ステップを有する、
付記１６ないし２０いずれか一項に記載の方法。
（付記２２）  キャリアアグリゲーション処理を実行するネットワーク側デバイスであって、
アクセスされた第１のセル中のキャリアアグリゲーション（ＣＡ）ユーザ装置により用いられる第１の公衆移動ネットワーク識別子（ＰＬＭＮ＿ＩＤ）と、前記ＣＡユーザ装置によりサポートされる周波数とにより、第２の周波数を決定するように構成された決定モジュールであって、前記第１のセルは第１の周波数を用い、前記第２の周波数によりサポートされた前記第２のＰＬＭＮ＿ＩＤと、前記第１のセル中の前記ＣＡユーザ装置により用いられる前記第１のＰＬＭＮ＿ＩＤとでＣＡが実行でき、前記第２の周波数は前記ＣＡユーザ装置によりサポートできる、前記決定モジュールと、
前記第２の周波数を含むＣＡ測定制御情報を前記ＣＡユーザ装置に送信するように構成された送信モジュールとを有する、
ネットワーク側デバイス。
（付記２３）  前記第１のセルにおいて、前記ＣＡユーザ装置により用いられる前記第１のＰＬＭＮ＿ＩＤとＣＡが実行される前記第２のＰＬＭＮ＿ＩＤは、
前記第２のＰＬＭＮ＿ＩＤは前記第１のＰＬＭＮ＿ＩＤと同一である、または
前記第２のＰＬＭＮ＿ＩＤが前記第１のＰＬＭＮ＿ＩＤと等価であることを含む、
付記２２に記載のネットワーク側デバイス。
（付記２４）  前記決定モジュールは具体的に：
前記第１のＰＬＭＮ＿ＩＤとＣＡを実行し得る前記第２のＰＬＭＮ＿ＩＤをサポートしている周波数から、前記ＣＡユーザ装置によりサポートされ得る周波数を、前記第２の周波数として選択し、または
前記ＣＡユーザ装置によりサポートされ得る周波数から、前記第１のＰＬＭＮ＿ＩＤとのＣＡが実行できる前記第２のＰＬＭＮ＿ＩＤをサポートしている周波数を、前記第２の周波数として選択するように構成されている、
付記２２または２３に記載のネットワーク側デバイス。
（付記２５）  前記決定モジュールは具体的に：
第１の周波数セットから、前記第２のＰＬＭＮ＿ＩＤをサポートしている周波数を選択し、前記第２のＰＬＭＮ＿ＩＤをサポートしている選択された周波数から、前記ＣＡユーザ装置によりサポートし得る周波数を、前記第２の周波数として選択する、または
前記第２のＰＬＭＮ＿ＩＤをサポートする第２の周波数セットから、前記ＣＡユーザ装置によりサポートされ得る周波数を、前記第２の周波数として選択するように構成されている、
付記２４に記載のネットワーク側デバイス。
（付記２６）  前記決定モジュールは具体的に：
第１の周波数セットから、前記ＣＡユーザ装置によりサポートされ得る周波数を選択し、前記ＣＡユーザ装置によりサポートされ得る選択された周波数から、前記第１のＰＬＭＮ＿ＩＤとＣＡを実行し得る前記第２のＰＬＭＮ＿ＩＤをサポートしている周波数を、前記第２の周波数として選択するように構成されている、
付記２４に記載のネットワーク側デバイス。
（付記２７）  前記送信モジュールはさらに：
前記第２の周波数を含む前記ＣＡ測定制御情報を前記ＣＡユーザ装置に送信した後、前記ＣＡユーザ装置から受信した測定情報に応じて、前記第２の周波数に対応する第２のセルを、前記ＣＡユーザ装置のＣＡセルとして構成するように構成され、前記測定情報は、前記ＣＡ測定制御情報により前記ＣＡユーザ装置により実行される測定により得られる、
付記２２ないし２６いずれか一項に記載のネットワーク側デバイス。
（付記２８）  キャリアアグリゲーション処理を実行するネットワーク側デバイスであって、
アクセスされた第１のセル中のキャリアアグリゲーション（ＣＡ）ユーザ装置により用いられる第１の公衆移動ネットワーク識別子（ＰＬＭＮ＿ＩＤ）と、前記ＣＡユーザ装置によりサポートされる周波数とにより、第２の周波数を決定するように構成されたプロセッサであって、前記第１のセルは第１の周波数を用い、前記第２の周波数によりサポートされた前記第２のＰＬＭＮ＿ＩＤと、前記第１のセル中の前記ＣＡユーザ装置により用いられる前記第１のＰＬＭＮ＿ＩＤとでＣＡが実行でき、前記第２の周波数は前記ＣＡユーザ装置によりサポートできる、前記プロセッサと、
前記第２の周波数を含むＣＡ測定制御情報を前記ＣＡユーザ装置に送信するように構成された送信器とを有する、
ネットワーク側デバイス。
（付記２９）  前記第１のセルにおいて、前記ＣＡユーザ装置により用いられる前記第１のＰＬＭＮ＿ＩＤとＣＡが実行される前記第２のＰＬＭＮ＿ＩＤは、
前記第２のＰＬＭＮ＿ＩＤは前記第１のＰＬＭＮ＿ＩＤと同一である、または
前記第２のＰＬＭＮ＿ＩＤが前記第１のＰＬＭＮ＿ＩＤと等価であることを含む、
付記２８に記載のネットワーク側デバイス。
（付記３０）  前記プロセッサは、具体的に：
前記第１のＰＬＭＮ＿ＩＤとＣＡを実行できる前記第２のＰＬＭＮ＿ＩＤをサポートしている周波数から、前記ＣＡユーザ装置によりサポートされ得る周波数を、前記第２の周波数として選択する、または
前記ＣＡユーザ装置によりサポートされ得る周波数から、前記第１のＰＬＭＮ＿ＩＤとのＣＡが実行できる前記第２のＰＬＭＮ＿ＩＤをサポートしている周波数を、前記第２の周波数として選択するように構成されている、
付記２８または２９に記載のネットワーク側デバイス。
【符号の説明】
【０２０３】
７０  決定モジュール
７１  送信モジュール
８０  決定モジュール
８１  送信モジュール
【図１】
2016213892.tif 000003
【図２】
2016213892.tif 000004
【図３】
2016213892.tif 000005
【図４】
2016213892.tif 000006
【図５】
2016213892.tif 000007
【図６】
2016213892.tif 000008
【図７】
2016213892.tif 000009
【図８】
2016213892.tif 000010
【図９】
2016213892.tif 000011
【図１０】
2016213892.tif 000012